(57)【要約】  複数個のセンサ部を近接して配置し、それら複数個のセンサ部の間で指示体を移動させた場合の問題を良好に解決することができる電子機器を提供する。  指示体の指示位置を検出するための第１の指示入力面を備える第１のセンサ部と、第１のセンサ部と同種の検出方式で前記指示体を検出するための第２の指示入力面を備え、第１のセンサ部の第１の指示入力面の面方向に沿った方向に近接して第２の指示入力面が配置された第２のセンサ部とを備える。指示体が第２のセンサ部で検出されたときに、第１のセンサ部の第１の指示入力面における指示体の指示位置を検出するためのスキャン動作を制御する制御手段を設ける。
2015079861.tif 000002
【特許請求の範囲】
【請求項１】
指示体の指示位置を検出するための第１の指示入力面を備える第１のセンサ部と、
前記指示体を検出するための第２の指示入力面を備え、前記第１のセンサ部の前記第１の指示入力面の面方向に沿った方向に近接して前記第２の指示入力面が配置された第２のセンサ部と、
前記指示体が前記第２のセンサ部で検出されたときに、前記第１のセンサ部の前記第１の指示入力面における前記指示体の指示位置を検出するためのスキャン動作を制御する制御手段と、
を備えることを特徴とする電子機器。
【請求項２】
前記第１のセンサ部と前記第２のセンサ部とは同種の検出方式で前記指示体を検出する
ことを特徴とする請求項１に記載の電子機器。
【請求項３】
前記制御手段は、
前記第１のセンサ部の前記第１の指示入力面における、前記第２のセンサ部との近接エリアにおいて、前記スキャン動作を制御する
ことを特徴とする請求項１に記載の電子機器。
【請求項４】
前記第２のセンサ部は、前記第２の指示入力面で指示体の指示位置を検出することが可能なものであり、
前記制御手段は、
前記指示体が、前記第１のセンサ部または前記第２のセンサ部の一方で検出された時に、前記第１のセンサ部または前記第２のセンサ部の他方における前記指示体の指示位置を検出するためのスキャン動作を制御する
ことを特徴とする請求項１に記載の電子機器。
【請求項５】
前記第２のセンサ部は、前記第２の指示入力面で指示体の指示位置を検出することが可能なものであり、
前記制御手段は、
前記指示体が、前記第１のセンサ部の前記第１の指示入力面の内の、前記第２のセンサ部との近接エリアまたは前記第２のセンサ部の前記第２の指示入力面の内の、前記第１のセンサ部との近接エリアにおいて検出された時に、前記第１のセンサ部または前記第２のセンサ部の他方における前記指示体の指示位置を検出するためのスキャン動作を制御する
ことを特徴とする請求項１に記載の電子機器。
【請求項６】
前記制御手段は、
前記第１のセンサ部で前記指示体が検出されていないときには、前記第１の指示入力面の全体エリアを前記指示体の指示位置を検出するためにスキャンする全体スキャン（オールスキャン）を行い、前記指示体の指示位置が検出されたときには、前記検出された前記指示位置の近傍エリアのみを前記指示体の指示位置を検出するためにスキャンする部分スキャン（ローカルスキャン）を行うと共に、
前記第２のセンサ部で前記指示体が検出されたときには、前記全体スキャンに代えて、前記第２のセンサ部との近接エリアにおいてのみ前記指示体の指示位置を検出するためのスキャンを行う
ことを特徴とする請求項３に記載の電子機器。
【請求項７】
前記第１のセンサ部及び前記第２のセンサ部の前記制御手段は、
前記指示体が検出されていないときには、前記第１の指示入力面の全体エリアを前記指示体の指示位置を検出するためにスキャンする全体スキャン（オールスキャン）を行い、前記指示体の指示位置が検出されたときには、前記検出された前記指示位置の近傍エリアのみを前記指示体の指示位置を検出するためにスキャンする部分スキャン（ローカルスキャン）を行うと共に、
前記第１のセンサ部または前記第２のセンサ部の一方で前記指示体が検出されたときには、前記第１のセンサ部または第２のセンサ部の他方の前記制御手段は、前記全体スキャンに代えて、前記第１のセンサ部または前記第２のセンサ部の一方との近接エリアにおいてのみ前記指示体の指示位置を検出するためのスキャンを行う
ことを特徴とする請求項５に記載の電子機器。
【請求項８】
前記第１のセンサ部の前記第１の指示入力面の大きさと、前記第２のセンサ部の前記第２の指示入力面の大きさとは、異なる
ことを特徴とする請求項１に記載の電子機器。
【請求項９】
前記第１のセンサ部と前記第２のセンサ部とは、電磁誘導方式のセンサ部または静電方式のセンサ部からなる
ことを特徴とする請求項１に記載の電子機器。
【請求項１０】
前記第１のセンサ部は、前記第１の指示入力面が表示装置の表示画面と重畳されて配置されている
ことを特徴とする請求項１に記載の電子機器。
【請求項１１】
前記第１のセンサ部は、前記第１の指示入力面が表示装置の表示画面と重畳されて配置されていると共に、前記第２のセンサ部は、前記第２の指示入力面が表示装置の表示画面と重畳されて配置されている
ことを特徴とする請求項５に記載の電子機器。
【請求項１２】
指示体の指示位置を検出するための指示入力面を備えるセンサ部と、
近接する他の電子機器との間で情報の通信を行うための通信手段と、
前記近接する他の電子機器に、近接状態を通知するための近接情報を、前記通信手段を通じて送信する送信手段と、
前記近接する他の電子機器からの前記近接情報を受信して、前記他の電子機器の近接状態を検知する近接検知手段と、
前記指示体が前記センサ部の前記指示入力面で検出された時に、前記近接する他の電子機器に、前記通信手段を通じて、前記指示体の検知を通知する指示体検知通知手段と、
前記近接する他の電子機器からの前記指示体の検知の通知を受信したときに、前記センサ部の前記指示入力面における前記指示体の指示位置を検出するためのスキャン動作を制御する制御手段と、
を備える電子機器。
【請求項１３】
前記センサ部の前記指示入力面における指示体の位置情報を前記近接する他の電子機器に通知する手段を備える
ことを特徴とする請求項１２に記載の電子機器。
【請求項１４】
前記センサ部の前記指示入力面の内の、前記近接する他の電子機器との近接エリアにおいて前記指示体が検出された時に、前記近接する他の電子機器に、前記通信手段を通じて、前記指示体が前記近接する他の電子機器との近接エリアに存在することを通知する
ことを特徴とする請求項１２に記載の電子機器。
【請求項１５】
前記制御手段は、前記近接する他の電子機器から送られてくる前記指示入力面における前記指示体の位置情報に基づいて、前記指示体が、前記他の電子機器の前記センサ部の前記指示入力面の内の、自電子機器との近接エリアに存在することを検出したときに、前記センサ部の前記指示入力面における前記指示体の指示位置を検出するためのスキャン動作を制御する
を備える請求項１３に記載の電子機器。
【請求項１６】
前記制御手段は、前記センサ部の前記指示入力面における、前記近接する他の電子機器との近接エリアにおいて、前記指示体の指示位置を検出するように、前記スキャン動作を制御する
ことを特徴とする請求項１２に記載の電子機器。
【請求項１７】
前記指示体により指示されている位置に付随する情報を、前記近接する他の電子機器に、前記通信手段を通じて送信する手段を、さらに備える
ことを特徴とする請求項１２に記載の電子機器。
【請求項１８】
前記第１のセンサ部及び前記第２のセンサ部の前記制御手段は、
前記指示体が検出されていないときには、前記第１の指示入力面の全体エリアを前記指示体の指示位置を検出するためにスキャンする全体スキャンを行い、前記指示体の指示位置が検出されたときには、前記検出された前記指示位置の近傍エリアのみを前記指示体の指示位置を検出するためにスキャンする部分スキャンを行うと共に、
前記第１のセンサ部または前記第２のセンサ部の一方で前記指示体が検出されたときには、前記第１のセンサ部または第２のセンサ部の他方の前記制御手段は、前記全体スキャンに代えて、前記第１のセンサ部または前記第２のセンサ部の一方との近接エリアにおいてのみ前記指示体の指示位置を検出するためのスキャンを行う
ことを特徴とする請求項１２に記載の電子機器。
【請求項１９】
前記制御手段は、
前記指示体が前記第２のセンサ部で検出されたときに、前記第１のセンサ部の前記第１の指示入力面における前記指示体の指示位置を検出するためのスキャン動作を休止させるように制御する
ことを特徴とする請求項１に記載の電子機器。
【発明の詳細な説明】
【技術分野】
【０００１】
この発明は、指示体のセンサ部を備える電子機器に関する。
【背景技術】
【０００２】
電子機器に搭載される入力装置として、ペン型の位置指示器や指などを指示体として用いて入力操作が行えるセンサ部を用いる例が多くなっている。これは、この種のセンサ部が透明基板に透明導体を施すことで構成できるため、電子機器が表示画面を備える場合に、その表示画面にセンサ部を重畳して配置することができて、表示画像の周辺に入力装置のスペースを特に必要としないために、電子機器を小型に構成することができることが、その一因となっている。【０００３】
ところで、センサ部においては、透明基板に複数配置されている透明導体を順々にスキャンして、指示体から送信される信号や、センサ部から送信された信号が指示体を介して戻ってくる信号が検出される透明導体を検索したり、指示体により指示されたことに基づいて静電容量が変化する透明導体を検索したりすることで、指示体の位置を、信号が検出された、あるいは、静電容量の変化が検出された、その透明導体の位置に対応して検出するようにする。【０００４】
この場合に、スキャンすべき透明導体数が多い場合には、その全てを常にスキャンするようにした場合には、スキャン時間が長くなり、指示体の検出スピードが低下する。そのため、センサ部において、指示体を高速に移動させた場合、指示体の検出スピードがその移動速度に追い付かなくなって、指示体を移動に追従して検出することができないという追従性の低下が生じる。このため、例えば、ペイントブラシなどのドローイングソフトにおいて、指示体のスキャン結果を表示したときに指示体の動きが粗く表現されてしまう。【０００５】
そこで、従来から、センサ部において指示体の位置を検出したときには、その検出した位置の周辺のみの透明導体をスキャンするローカルスキャン（部分スキャン）をすることで、センサ部で透明導体の全体をスキャン（以下、これをオールスキャン（全体スキャン）と称する）することによる指示体の高速移動に対する追従性の低下を補う方法が提案されている（例えば特許文献１（特開２００２−２９７３０２号公報）や特許文献２（特開２０１３−１６８１２１号公報）等参照）。
【先行技術文献】
【特許文献】
【０００６】
【特許文献１】特開２００２−２９７３０２号公報
【特許文献２】特開２０１３−１６８１２１号公報
【発明の概要】
【発明が解決しようとする課題】
【０００７】
ところで、例えば図２１（Ａ）に示すように、近年、携帯電話端末などの携帯機器１として、表示画面２に重畳されて配置されているセンサ部（図示は省略）で構成されるメイン指示入力部３以外に、表示画面２の周辺部に、例えば釦キーの機能を備える周辺指示入力部４Ａ，４Ｂなどを設けたものがある。【０００８】
この場合に、メイン指示入力部３で検出される指示体がペン型の位置指示器である場合、周辺指示入力部４Ａ，４Ｂが機械式の押釦キーで構成されていると、指で押釦キーからなる周辺指示入力部４Ａまたは４Ｂを操作した後に、ペン型の位置指示器に持ち替えて表示画面２に重畳されているセンサ部からなるメイン指示入力部３を操作したり、片方の手で押釦キーからなる周辺指示入力部４Ａまたは４Ｂを操作すると共に、もう片方の手でペン型の位置指示器を把持して、メイン指示入力部３を操作したりするというような面倒な操作が必要となる。【０００９】
そこで、周辺指示入力部４Ａ，４Ｂの釦キーも、メイン指示入力部３と同じ指示体検出方式のセンサ部で構成することが従来から行われている。その場合、従来、一般的には、図２１（Ｂ）に示すように、メイン指示入力部３を構成するセンサ部５を、周辺指示入力部４Ａ，４Ｂの領域においても検出することができるように大型して、広い検出領域を備えるものとして構成し、かつ、表示領域２に対応する領域２´（図２１（Ｂ）の点線参照）をメイン指示入力部３の領域として指示体を検出するようにすると共に、周辺指示入力部４Ａ，４Ｂに対応する領域４Ａ´，４Ｂ´（図２１（Ｂ）の点線参照）を、釦キー操作の検出領域として指示体を検出するようにしている。【００１０】
なお、図２１（Ｂ）の例のセンサ部５は、電磁誘導方式のセンサ部であって、第１の方向（例えばＸ軸方向）に複数個のループコイルが配列されて構成されるループコイル群５Ｘと、第１の方向と直交する第２の方向（Ｙ軸方向）に複数個のループコイルが配列されて構成されるループコイル群５Ｙとからなる。【００１１】
このような構成によれば、片手で携帯機器を持って、他方の片手で例えばペン型の位置指示器を保持し、周辺指示入力部４Ａ，４Ｂ及び表示画面２に対応するメイン指示入力部３に対して指示入力操作をすることができて便利である。【００１２】
ところが、このようにセンサ部５を、メイン指示入力部３と、周辺指示入力部４Ａ，４Ｂとを含むような検出領域を備えるものとして構成すると、構造的に大きな面積を有するセンサ部５が必要となり、近年の携帯機器の小型化や、表示画面の周辺のいわゆる額縁の狭化の要求に答えられなくなってしまうという問題がある。【００１３】
そこで、表示画面２に対応するメイン指示入力部３の領域を指示入力領域とするセンサ部と、周辺指示入力部４Ａ，４Ｂのそれぞれの領域を指示入力領域とするセンサ部とを、それぞれ別のセンサ部で構成することが考えられる。そのようにすれば、釦キーの機能が得られるようにする周辺指示入力部４Ａ，４Ｂのセンサ部を小さくすることができるので、上述のような携帯機器の大型化等の問題を軽減することができる。【００１４】
しかしながら、そのように、センサ部を複数個にした場合には、別の問題が生じる。すなわち、位置指示器が周辺指示入力部４Ａ，４Ｂに位置しているときには、メイン指示入力部３では、位置指示器を検出していないので、センサ部５では、ループコイル群１５Ｘ及び１５Ｙの全てのループコイルを順次にスキャンするオールキャンの状態となっており、指示体の検出スピードは低下している状態にある。このため、位置指示器を周辺指示入力部４Ａ，４Ｂの位置からメイン指示入力部３に移動させたときに、その位置指示器の移動が高速であると、メイン指示入力部３の領域の周部で指示体を検出できずに、指示体を見失ってしまって、メイン指示入力部３での指示体の検出に時間がかかる恐れがある。【００１５】
また、メイン指示入力部３の領域の例えば周辺指示入力部４Ａ，４Ｂの近傍に位置指示器が位置しているときにも、周辺指示入力部４Ａ，４Ｂにおいて、センサ部が常に指示体の検出のためのスキャン動作を行っていると、使用者が誤って不用意に位置指示器を周辺指示入力部４Ａ，４Ｂにタッチしてしまった時にも、その位置指示器を周辺指示入力部４Ａ，４Ｂが検出してしまって、携帯機器が当該検出結果に対応した動作を実行してしまう恐れがある。【００１６】
この発明は、以上の問題点を解決することができるようにしたセンサ部及びセンサ部における指示体による指示位置を検出する位置検出回路を備える電子機器を提供することを目的とする。
【課題を解決するための手段】
【００１７】
上記の課題を解決するために、請求項１の発明は、
指示体の指示位置を検出するための第１の指示入力面を備える第１のセンサ部と、
前記指示体を検出するための第２の指示入力面を備え、前記第１のセンサ部の前記第１の指示入力面の面方向に沿った方向に近接して前記第２の指示入力面が配置された第２のセンサ部と、
前記指示体が前記第２のセンサ部で検出されたときに、前記第１のセンサ部の前記第１の指示入力面における前記指示体の指示位置を検出するためのスキャン動作を制御する制御手段と、
を備えることを特徴とする電子機器を提供する。【００１８】
請求項１の発明においては、第１のセンサ部と第２のセンサ部が、互いの第２の指示入力面と第２の指示入力面とが近接して配置されている。第２のセンサ部で指示体が検出されると、第１のセンサ部における第１の指示入力面における指示体の指示位置を検出するためのスキャン動作が制御される。【００１９】
例えば第２のセンサ部で指示体が検出されたとき、制御手段は、第１のセンサ部におけるスキャン動作を休止するように制御する。これにより、第２のセンサ部で検出されている指示体を、使用者が誤って第１のセンサ部に移動させたとしても、当該第１のセンサ部では、その指示体の検出出力は得られないので、誤動作を防止することができる。【００２０】
また、第２のセンサ部で指示体が検出されたとき、制御手段は、第１のセンサ部の第１の指示入力部において、オールスキャン（全スキャン）ではなく、第２のセンサ部との近接エリアにおいて、ローカルスキャン（部分スキャン）動作をするように制御する。【００２１】
これにより、指示体が第２のセンサ部から第１のセンサ部に移動したときにも、追従性良く、指示体を第１のセンサ部で検出することができるようになる。【００２２】
なお、第２のセンサ部で指示体が検出されたとき、第１のセンサ部の第１の指示入力部の、第２のセンサ部との近接エリアにおいて、ローカルスキャン（部分スキャン）と全スキャンとを時分割で行うようにしてもよい。
【発明の効果】
【００２３】
この発明によれば、第２のセンサ部で指示体が検出されると、第１のセンサ部における第１の指示入力面における指示体の指示位置を検出するためのスキャン動作が制御されるように構成されているので、センサ部の複数個を近接して配置した場合の問題を、良好に解決することができる。
【図面の簡単な説明】
【００２４】
【図１】この発明による電子機器の第１の実施形態の構成例の概要を説明するための図である。
【図２】この発明による電子機器の第１の実施形態の要部の概要を説明するための図である。
【図３】この発明による電子機器の第１の実施形態の要部の構成例を示す図である。
【図４】この発明による電子機器の第１の実施形態の要部の処理動作例を説明するためのフローチャートを示す図である。
【図５】この発明による電子機器の第１の実施形態の要部の処理動作例を説明するためのタイミングチャートを示す図である。
【図６】この発明による電子機器の第１の実施形態の要部の処理動作例を説明するためのタイミングチャートを示す図である。
【図７】この発明による電子機器の第２の実施形態の構成例の概要を説明するための図である。
【図８】この発明による電子機器の第２の実施形態の要部の概要を説明するための図である。
【図９】この発明による電子機器の第２の実施形態の要部の処理動作例を説明するためのフローチャートの一部を示す図である。
【図１０】この発明による電子機器の第２の実施形態の要部の処理動作例を説明するためのフローチャートの一部を示す図である。
【図１１】この発明による電子機器の第３の実施形態の構成例の概要を説明するための図である。
【図１２】この発明による電子機器の第３の実施形態の構成例を示すブロック図である。
【図１３】この発明による電子機器の第３の実施形態の要部の概要を説明するための図である。
【図１４】この発明による電子機器の第３の実施形態の要部の処理動作例を説明するためのフローチャートの一部を示す図である。
【図１５】この発明による電子機器の第３の実施形態の要部の処理動作例を説明するためのフローチャートの一部を示す図である。
【図１６】この発明による電子機器の第３の実施形態の要部の処理動作例を説明するためのフローチャートの一部を示す図である。
【図１７】この発明による電子機器の第３の実施形態の要部の処理動作例を説明するためのフローチャートを示す図である。
【図１８】この発明による電子機器の第３の実施形態の要部の処理動作例を説明するためのフローチャートを示す図である。
【図１９】この発明による電子機器の第１の実施形態の他の構成例の要部の概要を説明するための図である。
【図２０】この発明による電子機器の第１の実施形態の他の構成例の要部のブロック図である。
【図２１】従来の電子機器の構成例を説明するための図である。
【発明を実施するための形態】
【００２５】
以下、この発明による電子機器の幾つかの実施形態を、図を参照しながら説明する。
【００２６】
［第１の実施形態；図１〜図６］
図１（Ａ）は、この発明の第１の実施形態の電子機器１０の外観の例を示すための図であり、図１（Ｂ）は、この第１の実施形態の電子機器１０に設けられるセンサ部の構成例を示す図である。
【００２７】
この例の電子機器１０は、いわゆるスマートフォンと呼ばれる高機能携帯電話端末であって、薄型扁平の略直方体形状の筐体１１の一面側に、例えばＬＣＤ（Liquid  Crystal  Display；液晶ディスプレイ）からなる表示デバイスの表示画面１２が、視認可能な状態となるように設けられている。この表示画面１２の下には、ディスプレイ対応センサ部１３が重畳されて配設されており、その指示入力面１３Ａはディスプレイ画面１２の全面とほぼ同じ領域面積を備えている。なお、ディスプレイ対応センサ部１３の指示入力面１３Ａの全域で、指示体の検出が可能であり、したがって、指示入力面１３Ａの領域は、ディスプレイ対応センサ部１３の指示体検出領域となる。
【００２８】
ディスプレイ対応センサ部１３は、この例では、電磁誘導方式のセンサ部の構成とされており、図１（Ｂ）に示すように、指示入力面１３Ａの全域をカバーするように、第１の方向（筐体１１の長手方向；Ｘ軸方向）に配列されるループコイル群１５Ｘと、第１の方向と直交する第２の方向（Ｙ軸方向）に配列されるループコイル群１５Ｙとを備える。
【００２９】
図１（Ｂ）に示すように、ループコイル群１５Ｘは、この例では、Ｘ軸方向に配列されるｎ（ｎは２以上の整数、例えば４０）個のループコイルＸ１，Ｘ２，・・・，Ｘｎからなる。また、ループコイル群１５Ｙは、この例では、Ｙ軸方向に配列されるｍ（ｍは２以上の整数、例えば２０）個のループコイルＹ１，Ｙ２，・・・，Ｙｍからなる。なお、図１（Ｂ）において、実線１２´で囲んで示す矩形領域は、表示画面１２の領域である。
【００３０】
ディスプレイ対応センサ部１３においては、複数個のループコイルＸ１〜Ｘｎ及びＹ１〜Ｙｍが基板上に形成され、表示画面１２の下に配置されている。
【００３１】
また、図１（Ａ）に示すように、筐体１１の長手方向（Ｘ軸方向）の一側の表示画面１２とは別領域には、表示画面１２と近接して、キー対応指示入力領域１４Ａ，１４Ｂが設けられている。筐体１１の、このキー対応指示入力領域１４Ａ，１４Ｂに対応する部分には、図１（Ｂ）に示すように、ディスプレイ対応センサ部１３と同じ電磁誘導方式のキー対応センサ部１６が設けられている。このキー対応センサ部１６は、キー対応指示入力領域１４Ａ，１４Ｂのそれぞれに対応して、基板上にループコイル１６Ａ，１６Ｂが形成されて構成されている。
【００３２】
この第１の実施形態の電子機器１０においては、図２に示すように、ディスプレイ対応センサ部１３と、キー対応センサ部１６とは、センサコントローラ１００に対して接続されている。このセンサコントローラ１００は、電子機器１０の制御回路を構成している。
【００３３】
センサコントローラ１００は、ディスプレイ対応センサ部１３のループコイル群１５Ｘ及び１５Ｙの複数個のループコイルＸ１〜Ｘｎ及びＹ１〜Ｙｍについてのスキャン動作を制御すると共に、キー対応センサ部１６の２個のループコイル１６Ａ，１６Ｂについてのスキャン動作を制御する。
【００３４】
そして、センサコントローラ１００は、ディスプレイ対応センサ部１３でのスキャン結果から、指示入力面（指示入力領域）１３Ａ上における、指示体、この例では、電磁誘導方式に対応するペン型の位置指示器２０による指示位置の検出処理を行うと共に、キー対応センサ部１６での２個のループコイル１６Ａ，１６Ｂについてのスキャン結果から、位置指示器２０をいずれかのキー対応指示入力領域１４Ａ，１４Ｂで検出しているか否かの検出処理を行う。
【００３５】
そして、センサコントローラ１００は、表示画面１２に対応する指示入力面１３Ａ及びキー対応指示入力領域１４Ａ，１４Ｂのいずれにおいても位置指示器２０を検出していないときには、ディスプレイ対応センサ部１３に対しては、ディスプレイ対応センサ部１３の全てのループコイルＸ１〜Ｘｎ及びＹ１〜Ｙｍを、第１の速度、例えば１２５ｍｓｅｃの時間間隔で、順次にスキャンするオールスキャンを行い、キー対応センサ部１６に対しては、ループコイル１６Ａ，１６Ｂを、オールスキャン時の第１の速度、この例では１２５ｍｓｅｃの時間間隔で、交互にスキャンする。
【００３６】
また、センサコントローラ１００は、指示入力面１３Ａにおいて位置指示器２０を検出したときには、ディスプレイ対応センサ部１３に対しては、位置指示器２０の検出位置近傍の複数個のループコイルのみを、第１の速度よりも高速の第２の速度、例えば７．５ｍｓｅｃごとに、順次にスキャンするローカルスキャンを行い、一方、キー対応センサ部１６に対しては、この例ではスキャンを休止する。
【００３７】
ディスプレイ対応センサ部１３に対するローカルスキャンにおいては、例えば、位置指示器２０がループコイルＸｉ及びループコイルＹｊ（ｉ及びｊは整数）の交点位置で検出された時には、ループコイルＸｉを中心とした複数個、例えば３本のループコイルＸｉ−１，Ｘｉ，Ｘｉ＋１と、ループコイルＹｊを中心とした複数個、例えば３本のループコイルＹｊ−１，Ｙｊ，Ｙｊ＋１を、順次にスキャンするようにする。
【００３８】
そして、センサコントローラ１００は、キー対応指示入力領域１４Ａ，１４Ｂのいずれかで位置指示器２０を検出したときには、キー対応センサ部１６に対しては、ループコイル１６Ａ，１６Ｂを、前記ローカルスキャンの第２の速度、この例では７．５ｍｓｅｃの時間間隔で、交互にスキャンすると共に、ディスプレイ対応センサ部１３に対しては、オールスキャンではなく、キー対応センサ部１６に近接するディスプレイ対応センサ部１３の周縁部のエリアのループコイルのみについて、第２の速度によるローカルスキャン（以下、この時のスキャンを近接エリアスキャンという）を行う。
【００３９】
この第１の実施形態では、キー対応センサ部１６は、ディスプレイ対応センサ部１３のＸ軸方向に近接して配置されているので、ディスプレイ対応センサ部１３では、Ｘ軸方向に配列されているループコイル群１５Ｘのうちの、キー対応センサ部１６に近接している１または複数個のループコイル、この例では２本のループコイルＸ１及びＸ２について近接エリアスキャンを行う。
【００４０】
このような近接エリアスキャンを行うようにすれば、位置指示器２０をキー対応センサ部１６から、ディスプレイ対応センサ部１３に高速で移動しても、位置指示器２０をディスプレイ対応センサ部１３において、追従性良く検出することができる。
【００４１】
この場合に、この例では、キー対応センサ部１６で検出されている位置指示器２０が、ディスプレイ対応センサ部１３にＸ軸方向に沿って移動してくるのを検出することができればよいので、Ｘ軸方向に配列されていて、キー対応センサ部１６に近接しているループコイルＸ１，Ｘ２のみをスキャンするだけで十分であり、Ｙ軸方向に配列されているループコイル群１５Ｙの内のループコイルをスキャンする必要はない。
【００４２】
図３は、図２の各部の詳細構成例、特に、センサコントローラ１００からなる制御回路の部分の詳細構成例である。図３の例においては、この例の電磁誘導方式のセンサ部と共に使用するペン型の位置指示器２０の回路構成も示している。すなわち、位置指示器２０は、図３に示すように、コイル２０Ｌと、このコイル２０Ｌに並列に接続されるコンデンサ２０Ｃとから構成される共振回路を内蔵している。
【００４３】
前述したように、ディスプレイ対応センサ部１３においては、Ｘ軸方向ループコイル群１５Ｘと、Ｙ軸方向ループコイル群１５Ｙとが、基板の表裏に形成されている。Ｘ軸方向ループコイル群１５Ｘ及びＹ軸方向ループコイル群１５Ｙのそれぞれを構成する複数個ループコイルＸ１〜Ｘｎ及びループコイルＹ１〜Ｙｍは、図１（Ｂ）にも示したように、互いに重畳されて配置されている。
【００４４】
コイルループ群１５Ｘを構成する複数個のループコイルＸ１〜Ｘｎは、位置指示器２０を検出するための検出領域のＸ軸方向に、等間隔に並んで順次重なり合うように配置されている。また、ループコイル群１５Ｙを構成する複数個のループコイルＹ１〜Ｙｍもまた、検出領域のＹ軸方向に、等間隔に並んで順次重なり合うように配置されている。
【００４５】
また、キー対応センサ部１６のループコイル１６Ａ及び１６Ｂのそれぞれは、例えば２ターンの矩形のループコイルとされている。
【００４６】
センサコントローラ１００は、ディスプレイ対応センサ部１３用の選択回路１０１Ｄ及送受信切替スイッチ回路１０２Ｄと、キー対応センサ部１６用の選択回路１０１Ｋ及び送受信切替スイッチ回路１０２Ｋと、ディスプレイ対応センサ部１３及びキー対応センサ部１６に共用の送信信号発生回路１１０及び受信信号処理回路１２０と、共用の送信信号発生回路１１０及び受信信号処理回路１２０をディスプレイ対応センサ部１３とキー対応センサ部１６とで切り替えるためのセンサ切替スイッチ回路１０３及び１０４と、処理制御部１０５と、を備えている。処理制御部１０５は、マイクロコンピュータにより構成されている。
【００４７】
選択回路１０１Ｄは、ディスプレイ対応センサ部１３のＸ軸方向ループコイル群１５Ｘ及びＹ軸方向ループコイル群１５Ｙに接続されている。この選択回路１０１Ｄは、ディスプレイ対応センサ部１３のループコイル群１５Ｘ，１５Ｙのうちの１本のループコイルを、処理制御部１１０からの選択制御信号に従って順次選択する。そして、選択回路１０１Ｄで選択された１本のループコイルは、送受信切替スイッチ回路１０２Ｄの可動端子に接続される。
【００４８】
選択回路１０１Ｋは、キー対応センサ部１６のループコイル１６Ａ及び１６Ｂに接続されており、処理制御部１１０からの選択制御信号に従ってそのループコイル１６Ａ及び１６Ｂのいずれか一方を選択する。そして、選択回路１０１Ｋで選択された１本のループコイルは、送受信切替スイッチ回路１０２Ｋの可動端子に接続される。
【００４９】
処理制御部１０５は、選択回路１０１Ｄ及び選択回路１０１Ｋにおけるループコイルの選択の制御をすると共に、その選択の速度を制御することにより、前述したオールスキャン及びローカルスキャン、さらに近接エリアスキャンを実行するようにする。
【００５０】
処理制御部１０５は、後述するようにして、ディスプレイ対応センサ部１３における位置指示器２０の指示位置の検出処理を行うと共に、キー対応センサ部１６における位置指示器２０の検出処理を行うようにする。処理制御部１０５は、これらのディスプレイ対応センサ部１３における位置指示器２０の指示位置の検出処理結果及びキー対応センサ部１６における位置指示器２０の検出処理に基づいて、選択回路１０１Ｄ，１０１Ｋに供給する選択制御信号を生成して、ディスプレイ対応センサ部１３及びキー対応センサ部１６に対するスキャン動作を制御する。
【００５１】
送受信切替スイッチ回路１０２Ｄ及び１０２Ｋは、ディスプレイ対応センサ部１３及びキー対応センサ部１６に対するスキャン時の信号の送受信の切り替え用である。送受信切替スイッチ回路１０２Ｄ及び１０２Ｋは、処理制御部１０５の制御により、選択回路１０１Ｄ及び１０１Ｋによって選択されたループコイルが接続される接続先（送信側端子Ｔ、受信側端子Ｒ）を、所定時間毎に切り替え、送信と受信とを時分割で切り替えられる。
【００５２】
すなわち、処理制御部１０５は、切替スイッチ回路１０２Ｄを、ディスプレイ対応センサ部１３へ送信信号を供給するときには端子Ｔ側に、ディスプレイ対応センサ部１３から受信信号を得るときには端子Ｒ側に、それぞれ切り替えられる。
【００５３】
また、切替スイッチ回路１０２Ｋは、処理制御部１０５の制御により、キー対応センサ部１６へ送信信号を供給するときには端子Ｔ側に、キー対応センサ部１６から受信信号を得るときには端子Ｒ側に、それぞれ切り替えられる。
【００５４】
センサ切替スイッチ回路１０３及び１０４は、処理制御部１０５により、ディスプレイ対応センサ部１３に対するスキャンを実行するときには、端子Ｄ側に切り替えられ、キー対応センサ部１６に対するスキャンを実行するときには、端子Ｋ側に切り替えられる。
【００５５】
センサ切替スイッチ回路１０３の可動端子は送信信号発生回路１１０の出力端に接続されると共に、端子Ｄ側は、送受信切替スイッチ回路１０２Ｄの送信側端子Ｔ側に接続され、端子Ｋ側は、送受信切替スイッチ回路１０２Ｋの送信側端子Ｔ側に接続される。また、センサ切替スイッチ回路１０４の可動端子は受信信号処理回路１２０の入力端に接続されると共に、端子Ｄ側は、送受信切替スイッチ回路１０２Ｄの端子Ｒ側に接続され、端子Ｋ側は、送受信切替スイッチ回路１０２Ｋの受信側端子Ｒ側に接続される。
【００５６】
送信信号発生回路１１０は、所定の周波数ｆ０の交流信号を発生する発振器１１１と、電流ドライバ１１２とからなる。送信信号発生回路１１０の発振器１１１から発生した周波数ｆ０の交流信号は、電流ドライバ１１２に供給されて電流に変換された後に、切替スイッチ回路１０３の可動端子に供給される。
【００５７】
受信信号処理回路１２０は、受信アンプ１２１、検波回路１２２、ローパスフィルタ１２３、サンプルホールド回路１２４、Ａ／Ｄ（Analog to Digital）変換回路１２５を備えている。センサ切替スイッチ回路１０４の可動端子は、受信信号処理回路１２０の受信アンプ１２１の入力端に接続されている。
【００５８】
以上のような構成において、処理制御部１０５は、ディスプレイ対応センサ部１３のスキャン時には、センサ切替スイッチ回路１０３及び１０４を、端子Ｄ側に切り替える。このときには、送信信号発生回路１１０の出力端は、センサ切替スイッチ回路１０３を通じて、送受信切替スイッチ回路１０２Ｄの送信側端子Ｔに供給され、また、送受信切替スイッチ回路１０２Ｄの受信側端子Ｒがセンサ切替スイッチ回路１０４を通じて受信信号処理回路１２０の入力端に接続される。
【００５９】
したがって、処理制御部１０５により、送受信切替スイッチ回路１０２Ｄが送信側端子Ｔに接続されているときには、発振器１１１からの周波数ｆ０の交流信号が、電流ドライバ１０３、センサ切替スイッチ回路１０３及び送受信切替スイッチ回路１０２Ｄを通じて選択回路１０１Ｄへ送出される。これにより、この送信時には、送信信号発生回路１１０からの交流信号が、選択回路１０１Ｄで選択されているループコイルに供給される。
【００６０】
そして、処理制御部１０５により、送受信切替スイッチ回路１０２Ｄが受信側端子Ｒに切り替えられると、選択回路１０１Ｄで選択されたループコイルは、選択回路１０１Ｄ及び送受信切替スイッチ回路１０２Ｄの受信側端子Ｒを介して、受信信号処理回路１２０の受信アンプ１２１の入力端に接続される。
【００６１】
受信アンプ１２１で増幅された信号は検波回路１２２へ供給されて、検波される。検波回路１２２によって検波された信号は、低域フィルタ１２３及びサンプルホールド回路１２４を介してＡ／Ｄ変換回路１２５に供給される。Ａ／Ｄ変換回路１２５では、アナログ信号をディジタル信号に変換し、処理制御部１０５に供給する。
【００６２】
処理制御部１０５は、この時、ディスプレイ対応センサ部１３のスキャンのための制御及び位置検出のため制御を行う。すなわち、処理制御部１０５は、選択回路１０１Ｄにおけるループコイルの選択制御、送受信切替スイッチ回路１０２Ｄでの送受信切り替え制御、サンプルホールド回路１２４のタイミングなどを制御する。
【００６３】
処理制御部１０５は、送受信切替スイッチ回路１０２Ｄを送信側端子Ｔに接続するように切り替えることにより、Ｘ軸方向ループコイル群１５ＸあるいはＹ軸方向ループコイル群１５Ｙのうち、選択回路１０１Ｄで選択されているループコイルを通電制御して電磁波を送出させる。このとき、ディスプレイ対応センサ部１３上で位置指示器としての位置指示器２０により位置指示されているときには、位置指示器２０の共振回路は、このループコイルから送出された電磁波を受けて、エネルギーを蓄える。
【００６４】
次に、処理制御部１０５が、送受信切替スイッチ回路１０２Ｄを受信側端子Ｒに接続するように切り替えると、Ｘ軸方向ループコイル群１５Ｘ及びＹ軸方向ループコイル群１５Ｙの各ループコイルには、位置指示器２０がディスプレイ対応センサ部１３上で位置指示しているときには、当該位置指示器２０から送信される電磁波によって誘導電圧が発生する。処理制御部１０５は、この各ループコイルに発生した誘導電圧の電圧値のレベルに基づいて、ディスプレイ対応センサ部１３の指示入力領域における、位置指示器２０による指示位置のＸ軸方向及びＹ軸方向の座標値を算出する。なお、位置指示器２０がディスプレイ対応センサ部１３上で位置指示していないときには、受信時には、位置指示器２０からの送信信号はループコイルには送られていないので、選択回路１０１Ｄで選択されているループコイルからは上記の誘導電圧は得られず、処理制御部１０５は、位置指示器２０を検出していないと判別するようにする。
【００６５】
次に、処理制御部１０５は、キー対応センサ部１６のスキャン時には、センサ切替スイッチ回路１０３及び１０４を、端子Ｋ側に切り替える。したがって、送信信号発生回路１１０の出力端は、センサ切替スイッチ回路１０３を通じて、送受信切替スイッチ回路１０２Ｋの送信側端子Ｔに供給され、また、送受信切替スイッチ回路１０２Ｋの受信側端子Ｒがセンサ切替スイッチ回路１０４を通じて受信信号処理回路１２０の入力端に接続される。
【００６６】
そして、この時には、処理制御部１０５は、選択回路１０１Ｋで２個のループコイル１６Ａ，１６Ｂの切り替えを制御すると共に、送受信切替スイッチ回路１０２Ｋを切り替え制御することで、ディスプレイ対応センサ部１３の時と同様にして、位置指示器２０を検出したか否か、検出したときには、２個のキー対応指示入力領域１４Ａ，１４Ｂのいずれで位置指示器２０を検出したかを判定するようにする。
【００６７】
以上のようにして、第１の実施形態では、処理制御部１０５は、ディスプレイ対応センサ部１３と、キー対応センサ部１６とについての位置指示器２０による指示位置の検出を行うようにするが、この検出を行うに当たって、上述したように、互いに近接して配置されているディスプレイ対応センサ部１３とキー対応センサ部１６とにおけるスキャン動作を制御することで、位置指示器２０の、異なるセンサ部への移動に伴う遅れという問題を回避するようにしている。
【００６８】
この第１の実施形態の電子機器１０の処理制御部１０５が行うスキャン制御動作の流れの一例を、図４のフローチャートを参照しながら説明する。
【００６９】
処理制御部１０５は、まず、指示体としての位置指示器２０が、ディスプレイ対応センサ部１３及びキー対応センサ部１６のいずれによっても検出されていない状態として、ディスプレイ対応センサ部１３についてオールスキャンを行い、キー対応センサ部１６についてオールスキャンの速度によるスキャンを行う（ステップＳ１）。
【００７０】
このステップＳ１におけるスキャン動作の例を図５（Ａ）及び（Ｂ）に示す。すなわち、処理制御部１０５は、例えば１２５ｍｓｅｃごとに、ディスプレイ対応センサ部１３の全ループコイル１５Ｘ，１５Ｙのスキャン（オールスキャン）を行うと共に、キー対応センサ部１６の２個のループコイル１６Ａ，１６Ｂのスキャンを行う。
【００７１】
この場合に、図５（Ａ）において、「All  Scan」の期間は、ディスプレイ対応センサ部１３のオールスキャンを行う期間であり、処理制御部１０５は、この期間に、図５（Ｂ）に示すように、Ｘ軸方向ループコイル群１５Ｘの全ループコイルＸ１〜Ｘ４０を順次にスキャン（前述した送受信及び座標検出処理）した後、Ｙ軸方向ループコイル群１５Ｙの全ループコイルＹ１〜Ｙ２０を順次にスキャンする。そして、この「All  Scan」の期間の直後の「Key  Scan」の期間においては、処理制御部１０５は、図５（Ｂ）に示すように、キー対応センサ部１６の２個のループコイル１６Ａ，１６Ｂをスキャンする。ステップＳ１においては、この「All  Scan」の期間及び「Key  Scan」の期間を、１２５ｍｓｅｃ毎に繰り返すものである。
【００７２】
次に、処理制御部１０５は、ステップＳ１のスキャンにおいて、ディスプレイ対応センサ部１３で指示体の例としての位置指示器２０を検出したか否か判別する（ステップＳ２）。このステップＳ２で、ディスプレイ対応センサ部１３でペンを検出したと判別したときには、処理制御部１０５は、ディスプレイ対応センサ部１３については、検出した位置指示器２０による指示位置の座標の近傍のループコイルのみをスキャンするローカルスキャンを行い、キー対応センサ部１６のスキャンは休止する（ステップＳ３）。
【００７３】
このステップＳ３におけるローカルスキャンの動作例を、図５（Ｃ）及び図５（Ｄ）に示す。すなわち、処理制御部１０５は、ディスプレイ対応センサ部１３についてのみ、オールスキャン時の速度よりも速い速度で、例えば７．５ｍｓｅｃ毎に、ローカルスキャン（図５（Ｃ）の「Local  Scan」参照）を実行する。
【００７４】
このローカルスキャンにおいては、処理制御部１０５は、前述したように、位置指示器２０のディスプレイ対応センサ部１３での座標位置が（Ｘｉ，Ｙｊ）であった場合には、その座標位置を中心としたＸ軸方向の及びＹ軸方向の３本ずつのループコイルＸｉ−１，Ｘｉ，Ｘｉ＋１及びＹｊ−１，Ｙｊ，Ｙｊ＋１（図５（Ｄ）参照）のみをスキャンするようにする。
【００７５】
ステップＳ３の次には、処理制御部１０５は、位置指示器２０が、ディスプレイ対応センサ部１３で検出されない状態まで離れたか否か判別し（ステップＳ４）、離れていないと判別したときには、処理をステップＳ３に戻して、ローカルスキャンを継続する。ステップＳ４で、位置指示器２０が、ディスプレイ対応センサ部１３で検出されない状態まで離れたと判別したときには、処理制御部１０５は、処理をステップＳ１に戻し、このステップＳ１以降の処理を繰り返す。
【００７６】
そして、ステップＳ２で、ディスプレイ対応センサ部１３では位置指示器２０を検出しなかったと判別したときには、処理制御部１０５は、キー対応センサ部１６で位置指示器２０を検出したか否か判別し（ステップＳ５）、キー対応センサ部１６でも位置指示器２０を検出しなかったと判別したときには、処理をステップＳ１に戻し、このステップＳ１以降の処理を繰り返す。
【００７７】
また、ステップＳ５で、キー対応センサ部１６で位置指示器２０を検出したと判別したときには、処理制御部１０５は、ディスプレイ対応センサ部１３については、ローカルスキャンの速度で、前述した近接エリアスキャンを行い、キー対応センサ部１６についてローカルスキャンの速度によるスキャンを行う（ステップＳ６）。
【００７８】
このステップＳ６におけるスキャン動作の例を図６（Ａ）及び（Ｂ）に示す。すなわち、処理制御部１０５は、ローカルスキャンの速度である７．５ｍｓｅｃごとに、図６（Ａ）に示す「Key  Scan´」の期間でキー対応センサ部１６の２個のループコイル１６Ａ，１６Ｂのスキャン（図６（Ｂ）参照）を行うと共に、ディスプレイ対応センサ部１３については、図６（Ａ）に示す「NR  Scan」の期間に、キー対応センサ部１６に近接する１または複数個のループコイル、この例では、２個のＸ軸方向のループコイルＸ１及びＸ２のみをスキャン（図６（Ｂ）参照）する近接エリアスキャンを行う。
【００７９】
このステップＳ６の次には、処理制御部１０５は、ディスプレイ対応センサ部１３で位置指示器２０を検出したか否か判別する（ステップＳ７）。すなわち、位置指示器２０がキー対応センサ部１６からディスプレイ対応センサ部１３に移動したか否か判別する。この時、ディスプレイ対応センサ部１３では、近接エリアスキャンが行われているので、キー対応センサ部１６からディスプレイ対応センサ部１３への位置指示器２０の移動は、それが高速であっても処理制御部１０５は、確実に検出することができる。
【００８０】
ステップＳ７で、ディスプレイ対応センサ部１３で位置指示器２０を検出してはいないと判別したときには、処理制御部１０５は、位置指示器２０がキー対応センサ部１６から離れたか否か判別する（ステップＳ８）。そして、このステップＳ８で、位置指示器２０がキー対応センサ部１６から離れてはいないと判別したときには、処理制御部１０５は、処理をステップＳ６に戻し、このステップＳ６以降の処理を繰り返す。また、ステップＳ８で、位置指示器２０がキー対応センサ部１６から離れたと判別したときには、処理制御部１０５は、処理をステップＳ１に戻し、このステップＳ１以降の処理を繰り返す。
【００８１】
また、ステップＳ７で、ディスプレイ対応センサ部１３で位置指示器２０を検出したと判別したときには、処理制御部１０５は、処理をステップＳ３に戻し、このステップＳ３以降の処理を繰り返す。
【００８２】
［第１の実施形態の効果］
以上説明したように、上述の第１の実施形態によれば、キー対応センサ部１６で指示体を検出しているときには、ディスプレイ対応センサ部１３では、キー対応センサ部１６に近接するエリアのループコイルのみをローカルスキャン速度でスキャンする近接エリアスキャンを行うようにしたので、キー対応センサ部１６から指示体としての位置指示器２０をディスプレイ対応センサ部１３に移動させるようにしたときに、その移動が高速であっても、追従性良く、指示体をディスプレイ対応センサ部１３で検出することができる。
【００８３】
また、指示体がディスプレイ対応センサ部１３で検出したときには、キー対応センサ部１６でのスキャンは休止するようにしたので、使用者が指示体をディスプレイ対応センサ部１３上で操作しているときに、不注意などにより誤って、指示体をキー対応センサ部１６の指示入力領域に位置させたとしても、その位置させる時間が短時間であれば、キー対応センサ部１６で指示体は検出されないので、誤作動を防止することができる。
【００８４】
［第１の実施形態の変形例］
なお、上述の第１の実施形態においては、キー対応センサ部１６で指示体を検出しているときには、ディスプレイ対応センサ部１３では、キー対応センサ部１６に近接するエリアのループコイルのみをローカルスキャン速度でスキャンする近接エリアスキャンを行うようにした。しかし、キー対応センサ部１６で指示体を検出しているときには、ディスプレイ対応センサ部１３では、キー対応センサ部１６に近接するエリアのループコイルのみをローカルスキャン速度でスキャンする近接エリアスキャンと、オールスキャンとを時分割で実行するようにしてもよい。そして、近接エリアスキャンと、オールスキャンとを時分割で実行する場合に、近接エリアスキャンとオールスキャンとを交互に等しい頻度で行うようにしてもよいし、主として近接エリアスキャンを行うと共に、時々、オールスキャンを行うようにしてもよい。
【００８５】
また、キー対応センサ部１６におけるキー対応指示入力領域の数は、上述の例では２個としたが、１個でもよく、また、３個以上であっても良いことは言うまでもない。また、上述の例では、２個のキー対応指示入力領域１４Ａ，１４Ｂに共通の１個のセンサ部１６の構成としたが、２個のキー対応指示入力領域１４Ａ，１４Ｂのそれぞれに対応する２個のセンサ部を設けるように構成してもよい。３個以上のキー対応指示入力領域を設ける場合にも同様である。
【００８６】
なお、上述の実施形態では、指示体がディスプレイ対応センサ部１３で検出されたときには、その検出位置に関係なく、キー対応センサ部１６でのスキャンを休止するようにしたが、指示体がディスプレイ対応センサ部１３のキー対応センサ部１６との近接エリアにおいて検出されたときに、キー対応センサ部１６でのスキャンを休止するようにしてもよい。
【００８７】
また、ディスプレイ対応センサ部１３からキー対応センサ部１６に指示体を移動する場合を考慮したときには、キー対応センサ部１６のスキャンを休止せずに、キー対応センサ部１６ではオールスキャン速度でスキャンを行うようにしてもよい。
【００８８】
また、ディスプレイ対応センサ部１３での指示体のキー対応センサ部１６の方向への移動を検出したときであって、指示体がディスプレイ対応センサ部１３の指示入力領域のうちの、キー対応センサ部１６との近接エリアで検出されたときに、休止しているキー対応センサ部１６でのスキャン（オールスキャン速度またはローカルスキャン速度のどちらでもよい）を開始するようにしてもよい。
【００８９】
［第２の実施形態］
第２の実施形態は、電子機器が２個の表示画面を備えると共に、それぞれの表示画面の下側（裏側）に重畳して、センサ部が配設される場合である。
【００９０】
図７は、この第２の実施形態の電子機器３０の概要を説明するための図である。この電子機器３０は、矩形の扁平形状の２個の筐体３１，３２を、結合部３３で回動可能に結合した構成を有する。そして、筐体３１，３２のそれぞれには、例えばＬＣＤからなる表示デバイス３４，３５と、その表示デバイス３４，３５の表示画面３４Ｄ，３５Ｄと重畳するようにセンサ部ＳＡ，ＳＢが設けられる。
【００９１】
この電子機器３０は、２個筐体３１，３２を結合部３３の部分で回動して重ね合わせるように閉じると、細長の１個の筐体のようにすることができると共に、結合部３３の部分を回動中心として開くと、図７に示すように、重ね合わせた時に互いに対向していた面に設けられている表示画面３４Ｄ及び３５Ｄが観視可能となるように構成されている。
【００９２】
センサ部ＳＡ及びＳＢは、上述した第１の実施形態のディスプレイ対応センサ部１３と同様の電磁誘導方式のセンサ部の構成とされており、図示は省略するが、Ｘ軸方向の複数個のループコイルＸ１〜Ｘｎと、Ｙ軸方向のループコイルＹ１〜Ｙｍとを備えている。
【００９３】
そして、この第２の電子機器３０においては、図８に示すように、センサ部ＳＡと、センサ部ＳＢとは、センサコントローラ３００に対して接続されている。このセンサコントローラ３００は、電子機器３０の制御回路を構成している。
【００９４】
センサコントローラ３００は、上述した第１の実施形態において図３に示したセンサコントローラ１００と同様の構成を有するものとすることができる。ただし、この第２の実施形態においては、第１の実施形態のディスプレイ対応センサ部１３の代わりに、ディスプレイ対応センサ部１３と同様の構成のセンサ部ＳＡが接続されると共に、キー対応センサ部１６の代わりに、ディスプレイ対応センサ部１３と同様の構成のセンサ部ＳＢが接続される。したがって、センサ部ＳＢ用として、選択回路１０１Ｋの代わりに、選択回路１０１Ｄと同様の選択回路が設けられ、マイクロコンピュータからなる処理制御部により、選択回路１０１Ｄと同様に制御される。
【００９５】
すなわち、センサコントローラ３００は、センサ部ＳＡの複数個のループコイルＸ１〜Ｘｎ及びＹ１〜Ｙｍについてのスキャン動作を制御すると共に、センサ部ＳＢの複数個のループコイルＸ１〜Ｘｎ及びＹ１〜Ｙｍについてのスキャン動作を制御する。
【００９６】
そして、センサコントローラ３００は、センサ部ＳＡでのスキャン結果から、表示画面３４Ｄに対応するセンサ部ＳＡの指示入力面（指示入力領域）上における、指示体、この例では、電磁誘導方式に対応するペン型の位置指示器２１（位置指示器２０と同一の構成）による指示位置の検出処理を行うと共に、センサ部ＳＢでのスキャン結果から、表示画面３５Ｄに対応するセンサ部ＳＢの指示入力面（指示入力領域）上における、位置指示器２１による指示位置の検出処理を行う。
【００９７】
そして、センサコントローラ３００は、表示画面３４Ｄに対応するセンサ部ＳＡの指示入力面及び表示画面３５Ｄに対応するセンサ部ＳＢの指示入力面のいずれにおいても位置指示器２１を検出していないときには、センサ部ＳＡ及びＳＢにおいて、第１の速度、例えば１２５ｍｓｅｃの時間間隔で、順次にスキャンするオールスキャンを行うように制御する。
【００９８】
また、センサコントローラ３００は、表示画面３４Ｄに対応するセンサ部ＳＡの指示入力面において位置指示器２１を検出したときには、センサ部ＳＡに対しては、位置指示器２１の検出位置近傍の複数個のループコイルのみを、第１の速度よりも高速の第２の速度、例えば７．５ｍｓｅｃごとに、順次にスキャンするローカルスキャンを行うように制御する。このローカルスキャンは、第１の実施形態と同様に、例えば、位置指示器２１がループコイルＸｉ及びループコイルＹｊ（ｉ及びｊは整数）の交点位置で検出された時には、ループコイルＸｉを中心とした複数個、例えば３本のループコイルＸｉ−１，Ｘｉ，Ｘｉ＋１と、ループコイルＹｊを中心とした複数個、例えば３本のループコイルＹｊ−１，Ｙｊ，Ｙｊ＋１を、順次にスキャンするようにする。
【００９９】
また、センサコントローラ３００は、表示画面３５Ｄに対応するセンサ部ＳＢの指示入力面において位置指示器２１を検出したときにも、センサ部ＳＡと同様のローカルスキャンを行うように制御する。
【０１００】
そして、この第２の実施形態では、センサコントローラ３００は、センサ部ＳＡまたはセンサ部ＳＢの一方で位置指示器２１を検出したとき、他方は、そのスキャンを以下のように制御する。すなわち、センサコントローラ３００は、センサ部ＳＡまたはセンサ部ＳＢの一方、例えばセンサ部ＳＡにおける位置指示器２１の検出位置を監視し、その検出位置が、他方のセンサ部ＳＢとの近接エリアであったときには、他方のセンサ部ＳＢにおいて、一方のセンサ部ＳＡとの近接エリアにおけるローカルスキャン、すなわち、近接エリアスキャンを行い、位置指示器の検出位置が前記近接エリアではなかったときには、他方のセンサ部ＳＢではオールスキャンを行うように制御する。
【０１０１】
この場合に、位置指示器の検出位置が他方のセンサ部との近接エリアであるか否かを判断する場合の前記近接エリアは、他方のセンサ部と近接する１または複数個分、例えば２〜３個のループコイルが占める面積エリアである。
【０１０２】
そして、この第２の実施形態においても、センサ部ＳＡまたはセンサ部ＳＢが実行する近接エリアスキャンは、それぞれ他方のセンサ部と近接している１または複数個のループコイルで行う。図７の例では、センサ部ＳＡとセンサ部ＳＢとはＹ軸方向に隣接しているので、図８に示すように、センサ部ＳＡにおいては、センサ部ＳＢと近接する１または複数個のループコイル、この例では２個のＹ軸方向のループコイルＹｍ、Ｙｍ−１が近接エリアスキャンの対象となり、センサＳＢにおいては、センサ部ＳＡと近接する１または複数個のループコイル、この例では２個のＹ軸方向のループコイルＹ１、Ｙ２が近接エリアスキャンの対象となる。
【０１０３】
このように、この第２の実施形態では、センサ部ＳＡ及びＳＢにおいて、自センサ部ではない他方のセンサ部の指示入力面の、自センサ部との近接エリアで位置指示器２１が検出されたときには、近接エリアスキャンを行うようにするので、位置指示器２１が、センサ部ＳＡとセンサ部ＳＢとの間で高速に移動しても、その移動に追従して、位置指示器２１を検出することができる。
【０１０４】
次に、この第２の実施形態の電子機器３０のセンサコントローラ３００が行うスキャン制御動作の流れの一例を、図９及び図１０のフローチャートを参照しながら説明する。なお、このフローチャートにおける各ステップの処理は、センサコントローラ３００の処理制御部が実行するが、ここでは、便宜上、センサコントローラ３００が行う処理として説明する。また、以下の説明で、指示体は、この例では位置指示器２１である。
【０１０５】
センサコントローラ３００は、まず、指示体が、センサ部ＳＡ及びＳＢのいずれによっても検出されていない状態として、センサ部ＳＡ及びＳＢについて、例えば１２５ｍｓｅｃ毎の繰り返し周期のオールスキャンを行う（ステップＳ１１）。
【０１０６】
次に、センサコントローラ３００は、ステップＳ１１のスキャンにおいて、センサ部ＳＡで、指示体を検出したか否か判別する（ステップＳ１２）。このステップＳ１２で、センサ部１３で指示体を検出したと判別したときには、センサコントローラ３００は、センサ部ＳＡについては、検出した指示体による指示位置の座標の近傍のループコイルのみを、例えば７．５ｍｓｅｃ毎にスキャンするローカルスキャンを行い、他方のセンサ部ＳＢはオールスキャンのままとする（ステップＳ１３）。
【０１０７】
このステップＳ１３の次には、センサコントローラ３００は、センサ部ＳＡにおける指示体の位置座標が、センサＳＢとの近接エリア内となっているか否か判別する（ステップＳ１４）。このステップＳ１４で、センサ部ＳＡにおける指示体の位置座標が、センサＳＢとの近接エリア内となってはいないと判別したときには、センサコントローラ３００は、指示体がセンサ部ＳＡの指示入力面から離れて検出できなくなったか否か判別する（ステップＳ１５）。
【０１０８】
このステップＳ１５で、指示体がセンサ部ＳＡの指示入力面から離れて検出できなくなってはいないと判別したときには、センサコントローラ３００は、処理をステップＳ１３に戻し、このステップＳ１３以降の処理を繰り返す。また、ステップＳ１５で、指示体がセンサ部ＳＡの指示入力面から離れて検出できなくなったと判別したときには、センサコントローラ３００は、処理をステップＳ１１に戻し、このステップＳ１１以降の処理を繰り返す。
【０１０９】
ステップＳ１４で、センサ部ＳＡにおける指示体の位置座標が、センサＳＢとの近接エリア内となったと判別したときには、センサコントローラ３００は、センサ部ＳＡについては、ローカルスキャンを継続するが、センサ部ＳＢでは、オールスキャンから、ローカルスキャンと同じ速度の近接エリアスキャンに変更する（ステップＳ１６）。
【０１１０】
次に、センサコントローラ３００は、センサ部ＳＡが指示体を近接エリア以外で検出したか否か判別し（ステップＳ１７）、センサ部ＳＡが指示体を近接エリア以外で検出したと判別したときには、処理をステップＳ１３に戻し、センサ部ＳＡについてはローカルスキャンを行い、他方のセンサ部ＳＢについてはオールスキャンを行う状態に変更する。
【０１１１】
ステップＳ１７で、センサ部ＳＡが指示体を近接エリア以外で検出してはいないと判別したときには、センサコントローラ３００は、指示体をセンサ部ＳＡではなく、センサ部ＳＢが検出する状態になったか否か判別する（ステップＳ１８）。このステップＳ１８で、指示体をセンサ部ＳＡではなく、センサ部ＳＢが検出する状態になってはいないと判別したときには、センサコントローラ３００は、指示体がセンサ部ＳＡの指示入力面から離れて検出できなくなったか否か判別する（ステップＳ１９）。
【０１１２】
このステップＳ１９で、指示体がセンサ部ＳＡの指示入力面から離れて検出できなくなってはいないと判別したときには、センサコントローラ３００は、処理をステップＳ１６に戻し、このステップＳ１６以降の処理を繰り返す。また、ステップＳ１９で、指示体がセンサ部ＳＡの指示入力面から離れて検出できなくなったと判別したときには、センサコントローラ３００は、処理をステップＳ１１に戻し、このステップＳ１１以降の処理を繰り返す。
【０１１３】
そして、ステップＳ１８で、指示体をセンサ部ＳＡではなく、センサ部ＳＢが検出する状態になったと判別したときには、センサコントローラ３００は、センサ部ＳＡについては、オールスキャンを行う状態にし、センサ部ＳＢについては、検出した指示体による指示位置の座標の近傍のループコイルのみを、例えば７．５ｍｓｅｃ毎にスキャンするローカルスキャンを行う（図１０のステップＳ２１）。
【０１１４】
このステップＳ２１の次には、センサコントローラ３００は、センサ部ＳＢにおける指示体の位置座標が、センサＳＡとの近接エリア内となっているか否か判別する（ステップＳ２２）。このステップＳ２２で、センサ部ＳＢにおける指示体の位置座標が、センサＳＡとの近接エリア内となってはいないと判別したときには、センサコントローラ３００は、指示体がセンサ部ＳＢの指示入力面から離れて検出できなくなったか否か判別する（ステップＳ２３）。
【０１１５】
このステップＳ２３で、指示体がセンサ部ＳＢの指示入力面から離れて検出できなくなってはいないと判別したときには、センサコントローラ３００は、処理をステップＳ２１に戻し、このステップＳ２１以降の処理を繰り返す。また、ステップＳ２３で、指示体がセンサ部ＳＢの指示入力面から離れて検出できなくなったと判別したときには、センサコントローラ３００は、処理をステップＳ１１に戻し、このステップＳ１１以降の処理を繰り返す。
【０１１６】
ステップＳ２２で、センサ部ＳＢにおける指示体の位置座標が、センサＳＡとの近接エリア内となったと判別したときには、センサコントローラ３００は、センサ部ＳＡについては、オールスキャンから、ローカルスキャンと同じ速度の近接エリアスキャンに変更し、センサ部ＳＢについては、ローカルスキャンを継続する（ステップＳ２４）。
【０１１７】
次に、センサコントローラ３００は、センサ部ＳＢが指示体を近接エリア以外で検出したか否か判別し（ステップＳ２５）、センサ部ＳＢが指示体を近接エリア以外で検出したと判別したときには、処理をステップＳ２１に戻し、センサ部ＳＡについてはオールスキャンを行う状態に変更し、センサ部ＳＢについてはローカルキャンを継続する。
【０１１８】
ステップＳ２５で、センサ部ＳＢが指示体を近接エリア以外で検出してはいないと判別したときには、センサコントローラ３００は、指示体をセンサ部ＳＢではなく、センサ部ＳＡが検出する状態になったか否か判別する（ステップＳ２６）。このステップＳ２６で、指示体をセンサ部ＳＢではなく、センサ部ＳＡが検出する状態になったと判別したときには、センサコントローラ３００は、処理をステップＳ１３に戻し、このステップＳ１３以降の処理を繰り返す。
【０１１９】
また、このステップＳ２６で、指示体をセンサ部ＳＢではなく、センサ部ＳＡが検出する状態になってはいないと判別したときには、センサコントローラ３００は、指示体がセンサ部ＳＢの指示入力面から離れて検出できなくなったか否か判別する（ステップＳ２７）。
【０１２０】
このステップＳ２７で、指示体がセンサ部ＳＢの指示入力面から離れていないと判別したときには、センサコントローラ３００は、処理をステップＳ２４に戻し、このステップＳ２４以降の処理を繰り返す。また、ステップＳ２７で、指示体がセンサ部ＳＢの指示入力面から離れて検出できなくなったと判別したときには、センサコントローラ３００は、処理をステップＳ１１に戻し、このステップＳ１１以降の処理を繰り返す。
【０１２１】
［第２の実施形態の効果］
このように、この第２の実施形態では、電子機器が２個の表示画面を備えると共に、その表示画面のそれぞれに重畳して、同種の検出方式のセンサ部ＳＡ及びＳＢを備えている場合において、センサ部ＳＡ，ＳＢの一方の指示入力面の、他方のセンサ部との近接エリアで指示体が検出されたときには、他方のセンサ部では近接エリアスキャンを行うようにするので、指示体が、センサ部ＳＡとセンサ部ＳＢとの一方から他方に高速に移動しても、他方のセンサ部では、その移動に追従して指示体を確実に検出することができる。
【０１２２】
したがって、第２の実施形態の電子機器によれば、２個の表示画面を１個の表示画面のようにして指示体を移動させることができる。そのため、第２の実施形態の電子機器は、２個の表示画面に対応するセンサ部の指示入力面において、指示体を追従性良く移動させることができるので、２画面間でのファイルのやり取りや、２画面を用いたゲームなど、種々のアプリケーションにおける指示体を用いた処理を、良好に実現することができる。
【０１２３】
［第２の実施形態の変形例］
なお、上述の第２の実施形態では、一方のセンサ部の指示入力面のうち、他方のセンサ部との近接エリアで指示体を検出したときにのみ、他方のセンサ部において近接エリアスキャンを行うようにしたが、一方のセンサ部で指示体を検出したときには、その指示体の検出位置に関係なく、他方のセンサにおいては、近接エリアスキャンを行うようにしてもよい。
【０１２４】
また、上述の第２の実施形態においては、一方のセンサ部で指示体を検出しているときには、他方のセンサ部では、一方のセンサ部に近接するエリアのループコイルのみをローカルスキャン速度でスキャンする近接エリアスキャンを行うようにした。しかし、一方のセンサ部で指示体を検出しているときには、他方のセンサ部では、一方のセンサ部に近接するエリアのループコイルのみをローカルスキャン速度でスキャンする近接エリアスキャンと、オールスキャンとを時分割で実行するようにしてもよい。そして、近接エリアスキャンと、オールスキャンとを時分割で実行する場合に、近接エリアスキャンとオールスキャンとを交互に等しい頻度で行うようにしてもよいし、主として近接エリアスキャンを行うと共に、時々、オールスキャンを行うようにしてもよい。
【０１２５】
また、一方のセンサ部で指示体を検出してローカルスキャンを行っているときであって、指示体の検出位置が他方のセンサ部との近接エリアではないときには、他方のセンサ部では、オールスキャンを行うようにしたが、他方のセンサ部でのスキャンを休止するようにしてもよい。
【０１２６】
なお、上述の第２の実施形態の電子機器は、２個の表示画面を備えると共に、それら２個の表示画面に重畳して配置される２個のセンサ部を備えるものであったが、この発明の電子機器は、３個以上の表示画面を備えると共に、それらの表示画面に重畳して配置される３個以上のセンサ部を備えるものであってもよい。
【０１２７】
［第３の実施形態］
以上の実施形態の電子機器は、複数個のセンサ部を備えると共に、それら複数個のセンサ部を共通の１個のセンサコントローラでスキャン制御を含めた制御を行うようにした場合であった。第３の実施形態の電子機器は、自分の機器では、センサ部は、１個しか持たないが、他の電子機器と通信を行うことにより、２個のセンサ部の間での指示体の移動の検出を可能にする場合である。
【０１２８】
この第３の実施形態では、この発明による２個のセンサ部の間での指示体の移動の検出処理を、２台の電子機器で連携するアプリケーションを実現する場合の指示体の移動の検出に適用するようにする。すなわち、２台の電子機器を近接して配置し、その近接して配されている２台の電子機器のセンサ部間での高速の指示体の移動に追従した指示体の検出を可能にする必要があり、そのための電子機器のセンサ部に対するスキャン制御に、この発明を適用する。
【０１２９】
まず、第３の実施形態の電子機器を説明する前に、２台の電子機器で連携するアプリケーションについて説明する。以下に説明では、電子機器が例えばスマートフォンと呼ばれる高機能の携帯電話端末である場合の例として、２台の電子機器で連携するアプリケーションについて説明する。この例のアプリケーションは、複数個の電子機器の間で通信を行いながら、例えば一方の電子機器の表示画面に表示されているファイルなどのオブジェクトを、ペンなどの指示体を用いてドラッグして、他方の電子機器の表示画面にまで移動させることで、そのドラッグしたオブジェクトを、一方の電子機器から他方の電子機器にコピーや移動することできるようにする。
【０１３０】
この例のアプリケーションを適用するために、まず、電子機器の例としての２台の携帯電話端末４０Ａ，４０Ｂを、図１１に示すように、その表示画面４１Ａ，４１Ｂが近接するように並べて置くようにする。この場合に、２台の携帯電話端末４０Ａ，４０Ｂは、例えば前述したディスプレイ対応センサ部１３と同様の電磁誘導方式のセンサ部４２Ａ，４２Ｂ（図１１における点線参照）を、表示画面４１Ａ，４１Ｂに重畳して配置して備えている。この例では、図１１に示すように、略直方体形状の携帯電話端末４０Ａ、４０Ｂは、その長手方向が平行になるように、左右に隣接して並べて、表示画面４１Ａ，４１Ｂ、延いてはセンサ部４２Ａ，４２Ｂが、それらの指示入力面の面方向に沿った方向に近接して配置されるようにする。
【０１３１】
そして、使用者は、２台の携帯電話端末４０Ａ，４０Ｂの当該アプリケーションを起動させ、一方の携帯電話端末の表示画面に、コピーや移動するオブジェクトのアイコンを表示させ、そのアイコンを、指示体、この例では電磁誘導方式のペン型の位置指示器２２（前述したペン２０と同様の構成）によりドラッグする操作をして、他方の携帯電話端末の表示画面まで移動させ、当該他方の携帯電話端末の表示画面において、当該オブジェクトのアイコンをドロップする操作をする。
【０１３２】
図１１の例では、使用者は、携帯電話端末４０Ａの表示画面４１Ａに表示されている、オブジェクトの例としての所定のファイルＦＬ（アイコン）を、位置指示器２２により長押ししたり、位置指示器２２に設けられているスイッチを押下操作したりするなどの操作によりドラッグし、そのドラッグを維持したまま、表示画面４１Ａ上を位置指示器２２により移動させることで、図１１に示すように、表示画面４１Ａ上を移動させ、さらに、隣接する電子機器４０Ｂの表示画面４１Ｂにまで、その移動を継続するようにする。そして、携帯電話端末４０Ｂにおいて、位置指示器２２を表示画面４１Ｂから離す、あるいは押下している前記スイッチの押下を解除するなどの操作をして、ファイルＦＬのドロップ操作をする。これにより、携帯電話端末４０Ａに格納されているファイルＦＬの携帯電話端末４０Ｂへのコピーまたは移動を行うようにする。
【０１３３】
この場合に、携帯電話端末４０Ａのセンサ部４２Ａと、携帯電話端末４０Ｂのセンサ部４２Ｂに対するセンサコントローラによる制御を、上述の第２の実施形態の２個のセンサ部ＳＡとセンサ部ＳＢとに対する制御と同様に施すことで、位置指示器２２の移動が、２台の携帯電話端末の間で追従性良く伝達され、ファイルＦＬが表示画面４１Ａから表示画面４１Ｂにスムースに移動する表示を行うことができる。
【０１３４】
しかし、この第３の実施形態では、センサ部４２Ａと、センサ部４２Ｂとは、それぞれ独立のセンサコントローラにより制御される構成となるので、そのままでは、第２の実施形態の共通のセンサコントローラによる制御と同様の制御を行うことはできない。そこで、この第３の実施形態においては、当該アプリケーションの際には、２台の電子機器の間で通信を行い、センサコントローラ間で、互いの位置指示器２２の位置検出座標を送受信することで、上述の第２の実施形態と同様にして、２個のセンサ部４２Ａと、センサ部４２Ｂとの間での位置指示器２２の移動を、追従性良く検出することができるようにする。
【０１３５】
以下、以上のことを実現する第３の実施形態の電子機器の例としての携帯電話端末の構成例及び処理動作例を、さらに説明する。
【０１３６】
［電子機器の例としての携帯電話端末のハードウエア構成例］
図１２は、この第３の実施形態の電子機器の例としての携帯電話端末４０のハードウエア構成例を示す図である。携帯電話端末４０Ａ及び４０Ｂは、この図１２に示す携帯電話端末４０と全く同様の構成を備える。なお、以下の説明において、携帯電話端末を区別する必要がないときには、携帯電話端末４０と表記することにする。
【０１３７】
図１２に示すように、この例の携帯電話端末４０は、マイクロコンピュータで構成される制御部４０１が、システムバス４００を通じて、携帯電話通信回路部４０２、送受信処理部４０３、通話回路部４０４、ディスプレイインターフェース４０５、センサコントローラ４０６、近接無線通信部４０７、メモリ４０８のそれぞれと接続されている。
【０１３８】
制御部４０１は、携帯電話端末４０の電話機能やその他の各種制御処理を制御するためのものである。この例では、制御部４０１は、メモリ４０８に格納される種々のアプリケーションプログラムを実行して、例えば後述する２台の携帯電話端末間４０でのコピーや移動のアプリケーション処理などを実行制御するようにする。
【０１３９】
携帯電話通信回路部４０２は、携帯電話網の基地局を通じて相手方端末と接続したり、インターネットに接続したりするためのものである。送受信処理部４０３は、携帯電話通信回路部４０２を通じて受信される情報を解析し、制御部４０１の制御にしたがって、システムバス４００を通じて必要な各部に転送すると共に、基地局に送出する送信情報を生成し、携帯電話通信回路部４０２に転送する。また、近接無線通信部４０７を通じて送受信する情報の処理をも、この実施形態では行う。
【０１４０】
通話回路部４０４は、電話音声の処理であり、受話器を構成するスピーカ４１１と送話器を構成するマイクロホン４１２が接続されている。
【０１４１】
ディスプレイインターフェース４０５には、例えばＬＣＤからなり、表示画面４１Ａを備えるディスプレイ４１３が接続される。ディスプレイ４１３の表示画面上にはセンサ部４１４が重畳されて設けられており、このセンサ部４１４は、センサコントローラ４０６に接続されている。なお、このセンサ部４１４は、携帯電話端末４０Ａにおいてはセンサ部４２Ａと表記するものであり、携帯電話端末４０Ｂにおいてはセンサ部４２Ｂと表記するものである。
【０１４２】
センサコントローラ４０６は、前述したセンサコントローラ３００等と同様の構成を有するもので、センサ部４１４のスキャンを制御すると共に、センサ部４１４を通じた使用者による位置指示器２２による指示位置を検出する。ただし、センサコントローラ４０６は、自端末のセンサ部４１４における位置指示器２２の位置検出しかできないが、近接無線通信部４０７から他の携帯電話端末のセンサ部４１４における位置指示器２２の位置検出結果を用いることで、前述したセンサコントローラ３００と同様の機能を実現することができる。
【０１４３】
また、この第３の実施形態では、位置指示器２２による操作入力は、センサ部４１４を通じて行えるようにされており、ディスプレイ４１３の表示画面には、制御部４０１の制御にしたがって、文字入力キー操作画面や設定受付画面などが表示される。使用者は、このセンサ部４１４に対して、位置指示器２２でタッチ操作したり、ドラッグ操作したり、ドロップ操作したり、スライド移動させたりする所定の振る舞いをすることにより、所定の操作入力をすることができる。
【０１４４】
センサコントローラ４０６は、センサ部４１４を通じた使用者による操作指示入力に応じた操作検出信号を、システムバス４００を通じて制御部４０１に送出する。制御部４０１は、センサコントローラ４０６から受けた操作検出信号から、使用者により、どのような操作入力がされたかを検出し、その検出結果に応じた制御処理を行う。
【０１４５】
近接無線通信部４０７は、他の携帯電話端末との間で無線通信するための通信部で、この例では、ブルートゥース（登録商標）規格の通信部とされている。なお、この近接無線通信部は、赤外線通信部、Ｗｉ−Ｆｉ（登録商標）通信部などの、その他の通信部の構成とすることもできる。
【０１４６】
メモリ４０８は、携帯電話端末４０で用いられる種々のデータの格納部であり、この実施形態では、図示は省略するが、アプリケーションプログラムなどの記憶エリアを備えている。
【０１４７】
図１３は、第３の実施形態の電子機器の例である上述の構成の携帯電話端末４０Ａ及び４０Ｂにおいて、上述した２台の携帯電話端末間でのオブジェクトのコピーや移動を行うアプリケーションを起動している場合における、センサ部４２Ａ及び４２Ｂの制御のための構成を説明するための図である。
【０１４８】
すなわち、携帯電話端末４０Ａ及び４０Ｂは、それぞれのセンサ部４１４、すなわち、センサ部４２Ａ及び４２Ｂのスキャン制御及び位置指示器２２の位置検出のための処理制御を、それぞれのセンサコントローラ４０６において行う。そして、２台の携帯電話端末間でのオブジェクトのコピーや移動を行うアプリケーションを起動している場合においては、携帯電話端末４０Ａ及び４０Ｂは、センサコントローラ４０６のそれぞれで検出した、センサ部４２Ａ及び４２Ｂのそれぞれにおける位置指示器２２の位置検出出力を、互いの近接無線通信部４０７で送受する。そして、近接無線通信部４０７のそれぞれは、受信した他の携帯電話端末のセンサ部における位置指示器２２の位置検出出力を、センサコントローラ４０６に供給する。
【０１４９】
センサコントローラ４０６のそれぞれは、自端末のセンサ部４１４における位置指示器２２の位置検出結果と、近接無線通信部４０７から取得した他の携帯電話端末のセンサ部４１４における位置指示器２２の位置検出結果とから、上述の第２の実施形態と同様のスキャン制御を行う。すなわち、センサコントローラ４０６は、他の携帯電話端末から取得した位置指示器２２の位置検出結果が、当該他の携帯電話端末のセンサ部４１４の指示入力面の、自端末のセンサ部４１４との近接エリアとなっていることを検出されたときには、自端末のセンサ部４１４について近接エリアスキャンを行うようにする。
【０１５０】
この場合に、この例では、自携帯電話端末の他の携帯電話端末が左脇に置かれるか、右脇に置かれるかを検出する手段を備えないので、センサコントローラ４０６は、自端末のセンサ部の左右両側の縁部に存在する１または複数個のループコイル、例えばＸ軸方向ループコイルＸ１、Ｘ２及びＸｎ−１、Ｘｎを近接エリアスキャンにおいてスキャンするようにする。
【０１５１】
もっとも、例えば光を用いた近接センサなどで、自端末の左脇か、右脇かのいずれに他の携帯電話端末が置かれたかを検出するようにした場合には、その検出結果に応じた一方の側においてのみ、センサ部４１４について近接エリアスキャンを行うようにしてもよいことは言うまでもない。
【０１５２】
［実施形態の携帯電話端末における処理動作の例］
＜２台の携帯電話端末で連携してコピーや移動を行うアプリケーションでの処理例＞
図１４〜図１６は、２台の携帯電話端末で連携してコピーや移動を行うアプリケーションでの携帯電話端末の処理動作の流れの一例を示すフローチャートである。このフローチャートの各ステップは、制御部４０１が実行するものである。なお、以下の説明において、指示体は、この例では位置指示器２２である。
【０１５３】
先ず、携帯電話端末の制御部４０１は、近接する２台の携帯電話端末間での指示体の移動を伴うアプリケーションの項目が選択されたか否か判別する（ステップＳ３１）。このステップＳ３１で、前記アプリケーションの項目が選択されたと判別したときには、制御部４０１は、近傍に置かれる他の携帯電話端末に、互いの近接配置を確認するための近接情報を、近接無線通信部４０７を通じて送信する処理を開始する（ステップＳ３２）。
【０１５４】
この近接情報は、他の携帯電話端末が前記アプリケーションを実行するために、自端末の脇に置かれたか否かを判別するためであり、前記アプリケーションの実行中においては、この近接情報を、例えば一定周期で送出する。そして、自端末のセンサ部４１４で検出した位置指示器２２の位置検出情報や、ドラッグしたことやドロップしたことを示す情報などは、この例ではこの近接情報に含めて送信する。ただし、位置指示器２２の位置検出情報や、ドラッグしたことやドロップしたことを示す情報などを含めた近接情報は、一定周期ではなく、必要に応じて送出するようにする。なお、位置指示器２２の位置検出情報や、ドラッグしたことやドロップしたことを示す情報などは、近接情報とは別の情報として、送出するようにしてもよい。
【０１５５】
ステップＳ３２の次には、制御部４０１は、他の携帯電話端末からの近接情報を受信したか否か判別し（ステップＳ３３）、受信してはいないと判別したときには、ディスプレイ４１３の表示画面に、他の携帯電話端末を、自端末の近接位置に置くように促すメッセージを表示する（ステップＳ３４）。そして、制御部４０１は、所定時間が経過したか否か判別し（ステップＳ３５）、アプリケーションを立ち上げた後、所定時間が経過してはいないと判別したときには、処理をステップＳ３２に戻し、このステップＳ３２以降の処理を繰り返す。また、ステップＳ３５で、アプリケーションを立ち上げた後、所定時間が経過したと判別したときには、制御部４０１は、処理をステップＳ３１に戻し、このステップＳ３１以降の処理を繰り返す。
【０１５６】
また、ステップＳ３３で、他の携帯電話端末からの近接情報を受信したと判別したときには、制御部４０１は、近接した携帯電話端末を考慮したセンサ部のスキャンコントロールを開始する（ステップＳ３７）。このステップＳ３７におけるスキャンコントロールの処理は、センサコントローラ４０６により実行されるもので、この処理については、図１７を用いて後で詳述する。
【０１５７】
次に、制御部４０１は、センサコントローラ４０６の検出出力に基づいて、指示体によってディスプレイ１１３の表示画面に表示されているオブジェクトのドラッグ操作がなされたか否か判別する（ステップＳ３８）。
【０１５８】
ステップＳ３１で、近接する２台の携帯電話端末間での指示体の移動を伴うアプリケーションの項目が選択されてはいないと判別したときには、制御部４０１は、他の携帯電話端末から近接情報を受信したか否か判別し（ステップＳ３９）、受信してはいないと判別したときには、その他の処理を実行し（ステップＳ４０）、その処理の終了後、処理をステップＳ３１に戻し、このステップＳ３１以降の処理を繰り返す。
【０１５９】
また、ステップＳ３９で、他の携帯電話端末から近接情報を受信したと判別したときには、制御部４０１は、他の携帯電話端末に対する送信を開始する（ステップＳ４１）。すなわち、他の携帯電話端末から近接情報を受信したら、自端末も近接情報の送信を開始するようにすることで、互いが近接して配置されていることを確認するようにする。制御部４０１は、このステップＳ４１の後には、ステップＳ３７に進み、このステップＳ３７以降の処理を行う。
【０１６０】
ステップＳ３８で、指示体によってディスプレイ１１３の表示画面に表示されているオブジェクトのドラッグ操作がなされたと判別したときには、制御部４０１は、自端末から送信する近接情報に、ドラッグしたオブジェクトの識別情報（以下ＩＤという）を含めて他の携帯電話端末に送信する（図１５のステップＳ５１）。
【０１６１】
次に、制御部４０１は、センサコントローラ４０６の検出出力に基づいて、オブジェクトをドラッグしたままの移動を検知したか否か判別し（ステップＳ５２）、検知したと判別したときには、ドラッグしたオブジェクトのアイコンの画像の、ディスプレイ１１３の表示画面上の表示位置を、センサコントローラ４０６の検出出力に基づいて移動するように表示制御する（ステップＳ５３）。
【０１６２】
次に、制御部４０１は、センサコントローラ４０６の検出出力に基づいて、オブジェクトをドラッグしたままの移動が、自端末の表示画面外になったか否か判別する（ステップＳ５４）。このステップＳ５４で、オブジェクトをドラッグしたままの移動が、自端末の表示画面外になってはいないと判別したときには、制御部４０１は、処理をステップＳ５２に戻し、このステップＳ５２以降の処理を繰り返す。
【０１６３】
ステップＳ５４で、オブジェクトをドラッグしたままの移動が、自端末の表示画面外になったと判別したときには、ドラッグして移動していたオブジェクトのＩＤが含まれている近接情報を他の携帯電話端末から受信したか否か判別する（ステップＳ５５）。このステップＳ５５で、他の携帯電話端末からドラッグして移動していたオブジェクトのＩＤが含まれている近接情報を受信しないと判別したときには、制御部４０１は、オブジェクトのコピーまたは移動の処理は中止されたと判断し（ステップＳ６１）、処理をステップＳ３８に戻し、このステップＳ３８以降の処理を繰り返す。
【０１６４】
また、ステップＳ５５で、他の携帯電話端末からドラッグして移動していたオブジェクトのＩＤが含まれている近接情報を受信したと判別したときには、制御部４０１は、ドロップ操作がなされたことの通知を含む近接情報の受信を待ち（ステップＳ５６）、ドロップ操作がなされたことの通知を含む近接情報の受信を確認したときには、ドロップしたオブジェクトの実体情報のコピーまたは移動を実行する（ステップＳ５７）。このステップＳ５７では、制御部４０１は、オブジェクトのＩＤに基づいて、当該オブジェクトの実体情報をメモリ４０８から読み出して、近接無線通信部４０７を通じて、他の携帯電話端末に送信する。
【０１６５】
次に、制御部４０１は、他の携帯電話端末からの近接情報が受信できなくなっていないかどうか判別し（ステップＳ５８）、他の携帯電話端末からの近接情報の受信ができなくなったと判別したときには、センサ部４１４についてのスキャンコントロールを、前記アプリケーション用である近接した携帯電話端末を考慮したセンサ部のスキャンコントロールから、通常モードのときのスキャンコントロールに戻す（ステップＳ５９）。そして、この処理ルーチンを終了する。また、ステップＳ５８で、他の携帯電話端末からの近接情報の受信は継続していると判別したときには、制御部４０１は、処理をステップＳ３８に戻し、このステップＳ３８以降の処理を繰り返す。
【０１６６】
そして、ステップＳ５２で、オブジェクトをドラッグしたままの移動を検知してはいないと判別したときには、制御部４０１は、センサコントローラ４０６の検出出力に基づいて、指示体によるドラッグは解除されたか否か判別し（ステップＳ６０）、解除されてはいないと判別したときには、処理をステップＳ５２に戻し、解除されたと判別したときには、処理をステップＳ６１に移行する。
【０１６７】
図１４のステップＳ３８で、指示体によってディスプレイ１１３の表示画面に表示されているオブジェクトのドラッグ操作がなされてはいないと判別したときには、制御部４０１は、他の携帯電話端末から受信した近接情報にオブジェクトのＩＤが含まれているか否か判別する（図１６のステップＳ７１）。
【０１６８】
このステップＳ７１で、他の携帯電話端末から受信した近接情報にオブジェクトのＩＤが含まれてはいないと判別したときには、制御部４０１は、処理をステップＳ３８に戻し、このステップＳ３８以降の処理を繰り返す。
【０１６９】
また、ステップＳ７１で、他の携帯電話端末から受信した近接情報にオブジェクトのＩＤが含まれていると判別したときには、制御部４０１は、その受信したオブジェクトのＩＤを一時保存する（ステップＳ７２）。次に、制御部４０１は、センサコントローラ４０６の検出出力に基づいて、他の携帯電話端末から連続する指示体によるドラッグ移動を検知したか否か判別する（ステップＳ７３）。このステップＳ７３では、実際的には、センサ部４１４において、左右端から中央方向に移動する指示体を検出したか否かを判別するものである。
【０１７０】
ステップＳ７３で、他の携帯電話端末から連続する指示体によるドラッグ移動を検知してはいないと判別したときには、制御部４０１は、他の携帯電話端末から近接情報が受信できなくなっていないかどうか判別する（ステップＳ７４）。制御部４０１は、ステップＳ７４で、他の携帯電話端末から近接情報が受信できなくなってはいないと判別したときには、処理をステップＳ７３に戻し、他の携帯電話端末から近接情報が受信できなくなっていると判別したときには、処理をステップＳ５９に移行して、センサ部４１４のスキャンコントロールを通常モードに戻して、この処理ルーチンを終了する。
【０１７１】
ステップＳ７３で、他の携帯電話端末から連続する指示体によるドラッグ移動を検知したと判別したときには、制御部４０１は、一時保存しているオブジェクトのＩＤを近接情報に含めた他の携帯電話端末に送信する（ステップＳ７５）。次に、制御部４０１は、センサコントローラ４０６の検出出力を監視して、オブジェクトについてのドロップ操作がなされるのを待つ（ステップＳ７６）。
【０１７２】
そして、ステップＳ７６で、オブジェクトについてのドロップ操作がなされたことを判別すると、制御部４０１は、近接情報にドロップ通知情報を含めて、他の携帯電話端末に送信する（ステップＳ７７）。そして、制御部４０１は、オブジェクトの実体情報のコピーまたは移動を実行する（ステップＳ７８）。このステップＳ７８では、制御部４０１は、ＩＤで識別されるオブジェクトの実体情報が他の携帯電話端末から送られてくるので、その実体情報を近接無線通信部４０７で受信し、当該オブジェクトのＩＤに対応付けて、メモリ４０８に書き込むようにする。
【０１７３】
次に、制御部４０１は、他の携帯電話端末から近接情報が受信できなくなっていないかどうか判別し（ステップＳ７９）、他の携帯電話端末から近接情報が受信できなくなってはいないと判別したときには、処理をステップＳ３８に戻して、このステップＳ３８以降の処理を繰り返し、また、他の携帯電話端末から近接情報が受信できなくなっていると判別したときには、処理をステップＳ５９に移行して、センサ部４１４のスキャンコントロールを通常モードに戻して、この処理ルーチンを終了する。
【０１７４】
＜近接した携帯電話端末を考慮したセンサ部のスキャンコントロールでの処理例＞
次に、ステップＳ３７で実行されるスキャンコントロールの処理例について説明する。
【０１７５】
≪第１の例≫
図１７は、ステップＳ３７で実行されるスキャンコントロールの第１の処理例を説明するためのフローチャートである。このフローチャートの各ステップの処理は、センサコントローラ４０６が制御部４０１の制御の下に行う。なお、制御部４０１が、センサコントローラ４０６の処理をもソフトウエアプログラムにより実行するようにすることもできるものである。
【０１７６】
図１７の例においては、センサコントローラ４０６は、指示体をセンサ部４１４で検出していない状態において、センサ部４１４について、まず、前述したように、例えば１２５ｍｓｅｃ周期でのオールスキャンを実行する（ステップＳ８１）。次に、センサコントローラ４０６は、センサ部４１４で、指示体を検出したか否か判別し（ステップＳ８２）、検出したと判別したときには、前述したように、例えば７．５ｍｓｅｃ周期での、指示体の検出位置近傍位置におけるローカルスキャンを実行する（ステップＳ８３）。
【０１７７】
そして、センサコントローラ４０６は、検出した指示体の位置情報を制御部４０１に渡して、近接情報に含めて、その指示体の位置情報を、他の携帯電話端末に送信するようにする（ステップＳ８４）。
【０１７８】
次に、センサコントローラ４０６は、センサ部４１４において指示体が検出できなくなったか否か判別し（ステップＳ８５）、指示体が検出できなってはいないと判別したときには、処理をステップＳ８３に戻し、このステップＳ８３以降の処理を繰り返す。また、ステップＳ８５で、指示体が検出できなくなったと判別したときには、センサコントローラ４０６は、他の携帯電話端末から受信した近接情報から指示体の位置情報を取得できたか否か判別する（ステップＳ８６）。また、ステップＳ８２で、センサ部４１４で、指示体を検出してはいないと判別したときにも、センサコントローラ４０６は、処理をステップＳ８６に移行するようにする。
【０１７９】
このステップＳ８６で、他の携帯電話端末から指示体の位置情報を取得してはいないと判別したときには、センサコントローラ４０６は、処理をステップＳ８１に戻し、このステップＳ８１以降の処理を繰り返す。また、ステップＳ８６で、他の携帯電話端末から指示体の位置情報を取得したと判別したときには、その位置情報に基づいて、他の携帯電話端末のセンサ部４１４で検出された指示体の位置は、センサ部４１４の指示入力面の自端末との近接エリア（この例では、センサ部４１４の指示入力面の左右両端）であるか否か判別する（ステップＳ８７）。
【０１８０】
このステップＳ８７で、指示体の位置は、他の携帯電話端末のセンサ部４１４の指示入力面の自端末との近接エリアではないと判別したときには、センサコントローラ４０６は、処理をステップＳ８６に戻し、このステップＳ８６以降の処理を繰り返す。
【０１８１】
また、ステップＳ８７で、指示体の位置は、他の携帯電話端末のセンサ部４１４の指示入力面の自端末との近接エリアであると判別したときには、センサコントローラ４０６は、自端末のセンサ部４１４について、近接エリアスキャン（この例では、センサ部４１４の指示入力面の左右両端のループコイルのスキャン）を実行する（ステップＳ８８）。そして、センサコントローラ４０６は、処理をステップＳ８２に戻し、このステップＳ８２以降の処理を繰り返す。
【０１８２】
≪第２の例≫
図１８は、ステップＳ３７で実行されるスキャンコントロールの第２の処理例を説明するためのフローチャートである。
【０１８３】
センサコントローラ４０６は、指示体をセンサ部４１４で検出していない状態において、センサ部４１４について、まず、前述したように、例えば１２５ｍｓｅｃ周期でのオールスキャンを実行する（ステップＳ９１）。次に、センサコントローラ４０６は、センサ部４１４で、指示体を検出したか否か判別し（ステップＳ９２）、検出したと判別したときには、前述したように、例えば７．５ｍｓｅｃ周期での、指示体の検出位置近傍位置におけるローカルスキャンを実行する（ステップＳ９３）。
【０１８４】
次に、センサコントローラ４０６は、検出した指示体の位置情報に基づいて、センサ部４１４で検出された指示体の位置は、自端末と他の携帯電話端末との近接エリア（この例では、センサ部４１４の指示入力面の左右両端）であるか否か判別する（ステップＳ９４）。このステップＳ９４で、指示体の位置は、自端末と他の携帯電話端末との近接エリアではないと判別したときには、センサコントローラ４０６は、処理をステップＳ９３に戻し、このステップＳ９３以降の処理を繰り返す。
【０１８５】
そして、ステップＳ９４で、指示体の位置は、自端末と他の携帯電話端末との近接エリアであると判別したときには、センサコントローラ４０６は、指示体が近接エリアに存在することの通知情報を、近接情報に含めて、他の携帯電話端末に送信するように、制御部４０１に依頼する（ステップＳ９５）。
【０１８６】
次に、センサコントローラ４０６は、センサ部４１４において指示体が検出できなくなったか否か判別し（ステップＳ９６）、指示体が検出できなってはいないと判別したときには、処理をステップＳ９３に戻し、このステップＳ９３以降の処理を繰り返す。また、ステップＳ９６で、指示体が検出できなくなったと判別したときには、センサコントローラ４０６は、他の携帯電話端末から受信した近接情報から、指示体が近接エリアに存在することの通知情報を取得できたか否か判別する（ステップＳ９７）。また、ステップＳ９２で、センサ部４１４で、指示体を検出してはいないと判別したときにも、センサコントローラ４０６は、処理をステップＳ９７に移行するようにする。
【０１８７】
このステップＳ９７で、他の携帯電話端末から、指示体が近接エリアに存在することの通知情報を取得してはいないと判別したときには、センサコントローラ４０６は、処理をステップＳ９１に戻し、このステップＳ９１以降の処理を繰り返す。また、ステップＳ９７で、他の携帯電話端末から、指示体が近接エリアに存在することの通知情報を取得したと判別したときには、センサコントローラ４０６は、その通知情報に基づいて、自端末のセンサ部４１４について、近接エリアスキャン（この例では、センサ部４１４の指示入力面の左右両端のループコイルのスキャン）を実行する（ステップＳ９８）。そして、センサコントローラ４０６は、処理をステップＳ９２に戻し、このステップＳ９２以降の処理を繰り返す。
【０１８８】
［第３の実施形態の効果］
以上説明したように、第３の実施形態によれば、２台の電子機器のセンサ部間における指示体の移動を追従性良く検出することができる。このため、近接して配置した２台の電子機器間での指示体の移動を伴うアプリケーションによる処理を、良好に行なうことができる。
【０１８９】
［第３の実施形態の変形例］
上述の第３の実施形態では、２台の電子機器が、自身が備えるメモリ部に記憶しているオブジェクトのコピーや移動について説明したが、電子機器が管理しているオブジェクトではあるが、その実体データが、インターネットなどのネットワークを通じてアクセスすることができるサーバなどの格納部に格納されている場合、すなわち、いわゆるクラウドの場合であっても、第３の実施形態は適用可能である。
【０１９０】
また、上述の第３の実施形態では、オブジェクトのコピーや移動についてのアプリケーションの場合に、この発明を適用したが、この発明が適用できるアプリケーションは、上述の例に限られるものではないことは言うまでもない。例えば、複数画面を使用するゲームにおいて、指示体による複数画面間の移動を伴うような操作が想定される際には、この発明を適用することができる。
【０１９１】
なお、以上の第３の実施形態の説明では、２台の電子機器間での指示体の移動について説明したが、この発明は、３台以上の電子機器間での指示体の移動を考慮する場合にも、同様に適用することができる。
【０１９２】
なお、この第３の実施形態においても、上述の第２の実施形態と同様に、センサコントローラ４０６は、指示体が近接エリアに存在することの通知情報を取得したと判別したときには、その通知情報に基づいて、自端末のセンサ部４１４について、近接エリアスキャンと、オールスキャンとを時分割で実行するようにしてもよい。
【０１９３】
［その他の実施形態または変形例］
上述した第１の実施形態及び第２の実施形態では、センサコントローラは、複数個のセンサ部に対して共通の１個としたが、それぞれのセンサ部に対してセンサコントローラをそれぞれ設けるようにしてもよい。その場合には、第３の実施形態と同様に、それぞれのセンサコントローラの間で、他のセンサコントローラで検出した指示体の位置検出情報を互いに送受するようにすればよい。
【０１９４】
例えば、第２の実施形態の場合に適用すると、図１９に示すように構成すればよい。すなわち、この例においては、センサ部ＳＡに対しては、センサコントローラ３００Ａを設けると共に、センサ部ＳＢに対しては、センサコントローラ３００Ｂを設ける。そして、センサコントローラ３００Ａとセンサコントローラ３００Ｂとの間も接続するようにし、センサコントローラ３００Ａで検出した指示体の位置検出出力は、センサコントローラ３００Ｂに供給するようにすると共に、センサコントローラ３００Ｂで検出した指示体の位置検出出力は、センサコントローラ３００Ａに供給するようにする。
【０１９５】
そして、センサコントローラ３００Ａ及び３００Ｂは、上述した第３の実施形態のセンサコントローラ４０６と同様に構成するようにすればよい。
【０１９６】
また、以上の実施形態では、センサ部は、電磁誘導方式のセンサ部の構成としたが、この発明は、電磁誘導方式のセンサ部のみに適用されるものではなく、他の方式のセンサ部、例えば静電容量方式のセンサ部にも適用することが可能であることは勿論である。
【０１９７】
図２０は、第１の実施形態の場合のセンサ部に、静電容量方式のセンサ部を用いた場合の構成例である。この図２０の例においては、ディスプレイ対応センサ部１３の代わりに、静電容量方式のディスプレイ対応センサ部５０が設けられ、キー対応センサ部１６の代わりに、静電容量方式のキー対応センサ部６０が設けられる。
【０１９８】
ディスプレイ対応センサ部５０は、この例では、クロスポイント静電容量方式のセンサの構成とされており、透明基板５１の一面に、透明電極群５２が形成されて構成されている。透明電極群５２は、Ｙ軸方向に配置された複数本の透明電極５３と、Ｙ軸方向に直交するＸ軸方向に配置された複数本の透明電極５４からなる。
【０１９９】
また、キー対応センサ部６０は、Ｘ軸方向に配列される複数本の透明電極６１Ａと、Ｙ軸方向に配列される複数本の透明電極６２Ａとからなる第１のセンサ部６０Ａと、Ｘ軸方向に配列される複数本の透明電極６１Ｂと、Ｙ軸方向に配列される複数本の透明電極６２Ｂとからなる第１のセンサ部６０Ｂとで構成されている。
【０２００】
センサコントローラ５００は、図２０に示すように、送信信号発生回路５０１、送信電極選択回路５０２、受信電極選択回路５０３、受信信号処理回路５０４及び制御回路５０５を備えている。
【０２０１】
送信信号発生回路５０１は、制御回路５０５の制御に従った所定のタイミングで、所定の送信信号を送信電極選択回路５０２に供給する。送信電極選択回路５０２は、制御回路５０５の選択制御にしたがって、ディスプレイ対応センサ部５０の透明電極５４を選択すると共に、キー対応センサ部６０の透明電極６２Ａまたは透明電極６２Ｂを選択する。送信電極選択回路５０２によって選択された透明電極５４または透明電極６２Ａ，６２Ｂには送信信号発生回路５０１から送信信号が供給される。
【０２０２】
受信電極選択回路５０３は、制御回路５０５の制御にしたがって、ディスプレイ対応センサ部５０の透明電極５３を選択すると共に、キー対応センサ部６０の透明電極６１Ａ，６１Ｂを選択し、選択した透明電極５３または透明電極６１Ａ，６１Ｂからの受信信号を受信信号処理回路５０４に供給する。
【０２０３】
受信信号処理回路５０４は、制御回路５０５による制御に基づいて、受信信号を処理し、指や位置指示器などの指示体が、ディスプレイ対応センサ部５０やキー対応センサ部６０上で位置を指示することで生じる信号変化を透明電極５３または透明電極６１Ａ，６１Ｂで検出し、その検出出力を制御回路５０５に供給する。
【０２０４】
制御回路５０５は、受信信号処理回路５０４の検出出力から、前記信号変化が生じた透明電極５３または透明電極６１Ａ，６１Ｂと、そのときに送信信号が供給されている透明電極５４または透明電極６２Ａ，６２Ｂとから、指または位置指示器などの指示体によって指示された位置に対応した指示位置検出信号である座標出力を生成する。
【０２０５】
そして、制御回路５０５は、上述の第１の実施形態と同様にして、ディスプレイ対応センサ部５０においては、オールスキャン及びローカルスキャン、さらに近接エリアスキャンを行うように制御するものである。
【０２０６】
第２の実施形態のセンサ部ＳＡ，ＳＢ及び第３の実施形態のセンサ部４１４も、静電容量方式のセンサ部の構成とすると共に、上述の図２０に示したようなセンサコントローラを備える構成とするようにしてもよいことは言うまでもない。
【０２０７】
なお、上述の第１の実施形態では、ディスプレイ対応センサ部１３とキー対応センサ部１６とは、共に電磁誘導方式のセンサ部として同種の検出方式のセンサを用いるようにしたが、ディスプレイ対応センサ部１３とキー対応センサ部１６とで異なる検出方式のセンサ部の構成としてもよい。例えばディスプレイ対応センサ部１３を静電容量方式のセンサ部とし、キー対応センサ部１６を電磁誘導方式のセンサ部の構成としてもよいし、その逆であってもよい。
【０２０８】
また、ディスプレイ対応センサ部１３として、例えば表示画面１２の下側に電磁誘導方式のセンサ部を重畳して設けると共に、表示画面１２の上側に静電容量方式のセンサ部を重畳して設けるようにする等、異なる検出方式のセンサ部を重畳して設ける構成であってよい。キー対応センサ部１６についても同様に構成することができる。この場合に、ディスプレイ対応センサ部１３とキー対応センサ部１６とで、共に異なる検出方式のセンサ部を重畳して設ける構成としてもよいし、一方のみを共に異なる検出方式のセンサ部を重畳して設ける構成としてもよい。
【０２０９】
また、第２の実施形態においても、センサ部ＳＡとセンサ部ＳＢとを互いに異なる検出方式のセンサ部の構成としてもよい。また、センサ部ＳＡとセンサ部ＳＢのそれぞれとして、あるいは、センサ部ＳＡとセンサ部ＳＢの一方として、異なる検出方式のセンサ部を重畳して設ける構成であってよい。
【０２１０】
また、第３の実施形態における２台の携帯電話端末４０Ａ，４０Ｂのセンサ部４２Ａ，４２Ｂは、互いに異なる検出方式のセンサ部の構成としてもよい。また、センサ部４２Ａとセンサ部４２Ｂのそれぞれとして、あるいは、センサ部４２Ａとセンサ部４２Ｂの一方として、異なる検出方式のセンサ部を重畳して設ける構成であってよい。
【符号の説明】
【０２１１】
１０，３０，４０…電子機器、１３…ディスプレイ対応センサ部、１６…キー対応センサ部、２０，２１，２２…位置指示器、ＳＡ，ＳＢ…センサ部、１００，３００，４０６…センサコントローラ、４０７…近接無線通信部
【図１】
2015079861.tif 000003
【図２】
2015079861.tif 000004
【図３】
2015079861.tif 000005
【図４】
2015079861.tif 000006
【図５】
2015079861.tif 000007
【図６】
2015079861.tif 000008
【図７】
2015079861.tif 000009
【図８】
2015079861.tif 000010
【図９】
2015079861.tif 000011
【図１０】
2015079861.tif 000012
【図１１】
2015079861.tif 000013
【図１２】
2015079861.tif 000014
【図１３】
2015079861.tif 000015
【図１４】
2015079861.tif 000016
【図１５】
2015079861.tif 000017
【図１６】
2015079861.tif 000018
【図１７】
2015079861.tif 000019
【図１８】
2015079861.tif 000020
【図１９】
2015079861.tif 000021
【図２０】
2015079861.tif 000022
【図２１】
2015079861.tif 000023
【国際調査報告】
2015079861.tif 000024
2015079861.tif 000025
2015079861.tif 000026
2015079861.tif 000027